(57)【要約】  本発明はＤＲＢマッピング方法および装置を開示した。本発明に係る実施例によれば、ネットワークデバイス及び端末はＤＲＢのマッピング様式を決定し、前記ＤＲＢのマッピング様式は、ＤＲＢを、ライセンスされた帯域にマッピングするのを認めるのかおよび/またはライセンスされていない帯域にマッピングするのを認めるのかを指す、ネットワークデバイス及び端末により決定されたＤＲＢのマッピング様式により、指定されたキャリアにおいて、ＤＲＢのサビースデータを伝送する。本発明に係る実施例により、サビースサビース品質にこだわるサビースデータ(例えば、VOIPサビース、またはオンラインビデオ、ゲーム等)がライセンスされていない帯域において伝送されないことにより、ライセンスされていない帯域上の非連続的な動作によるサビース遅延の延長及び遅延振動が原因となったサビース品質の低下を防ぐことができ、ユーザーのサビース体験を効果的に改善することができる。
2017536051.tif 000002
【特許請求の範囲】
【請求項１】
ネットワークデバイスは、ＤＲＢのマッピング様式を決定するステップであって、前記ＤＲＢのマッピング様式は、ＤＲＢを、ライセンスされた帯域にマッピングするのを認めるのかおよび/またはライセンスされていない帯域にマッピングするのを認めるのかを指す前記決定ステップと、
前記ネットワークデバイスは、決定されたＤＲＢのマッピング様式により、指定されたキャリアにおいて前記ＤＲＢのサビースデータを伝送するステップと
を備えることを特徴とするＤＲＢ（ｄａｔａ  ｒａｄｉｏ  ｂｅａｒｅｒ）のマッピング方法。
【請求項２】
前記ＤＲＢのマッピング様式は、第１マッピング様式及び第２マッピング様式を含み、
前記第１マッピング様式において、ＤＲＢをライセンスされた帯域にマッピングされることのみを認め、
前記第２マッピング様式において、ＤＲＢをライセンスされた帯域にマッピングすることも認めるし、ライセンスされていない帯域にマッピングすることも認める
ことを特徴とする請求項１のＤＲＢ（ｄａｔａ  ｒａｄｉｏ  ｂｅａｒｅｒ）のマッピング方法。
【請求項３】
前記ネットワークデバイスがＤＲＢのマッピング様式を決定することは、
前記ネットワークークデバイスは、ＤＲＢのサビースの品質（ＱｏＳ）の特徴および/または無線回線制御（ＲＬＣ）伝送モードにより、ＤＲＢのマッピング様式を決定するＤＲＢのマッピング様式を決定し、
または、
前記ネットワークデバイスは、あらかじめ約定したＤＲＢのマッピング様式に従う
ことを特徴とする請求項１のＤＲＢ（ｄａｔａ  ｒａｄｉｏ  ｂｅａｒｅｒ）のマッピング方法。
【請求項４】
前記ネットワークデバイスがＲＬＣ伝送モードによりＤＲＢのマッピング様式を決定することは、
ＤＲＢのＲＬＣモードが非肯定応答モード(ｕｎａｃｋｎｏｗｌｅｄｇｅｄ  ｍｏｄｅ，ＵＭ)である場合、ＤＲＢをライセンスされた帯域にマッピングすることのみを決定し、
ＤＲＢのＲＬＣモードが肯定応答モード（ａｃｋｎｏｗｌｅｄｇｅｄ  ｍｏｄｅ，ＡＭ)である場合、ＤＲＢをライセンスされた帯域にマッピングすることも認めるし、ライセンスされていない帯域にマッピングすることも認める
ことを特徴とする請求項３のＤＲＢ（ｄａｔａ  ｒａｄｉｏ  ｂｅａｒｅｒ）のマッピング方法。
【請求項５】
前記ネットワークデバイスが前記ＤＲＢのマッピング様式を決定することは、
前記ネットワークデバイスは、ＤＲＢが確立された場合、ＤＲＢのサビースの品質（ＱｏＳ）の特徴および/または無線回線制御（ＲＬＣ）伝送モードにより、確立されたＤＲＢのマッピング様式を決定し、
前記ネットワークデバイスは、ＤＲＢが確立された場合、信号干渉の状況および/または伝送サビースの受信品質により、確立されたＤＲＢのマッピング様式を改めて決定して設定し、
前記ネットワークデバイスは、切換ターゲットネットワークデバイスとして、ソースネットワークデバイスからの切換端末のＤＲＢマッピング様式情報を受信し、前記ターゲットネットワークデバイスは、前記切換端末のＤＲＢのマッピング様式を改めて決定して設定することとのうちの１つまたはこれらの任意の組み合わせを含む
ことを特徴とする請求項１のＤＲＢ（ｄａｔａ  ｒａｄｉｏ  ｂｅａｒｅｒ）のマッピング方法。
【請求項６】
前記ネットワークデバイスは、ＤＲＢのマッピング様式を決定した後、
前記ネットワークデバイスは、前記ＤＲＢが確立されている端末に対して、前記ＤＲＢのマッピング様式を示してあげる
ことを特徴とする請求項１ないし請求項５のいずれかのＤＲＢ（ｄａｔａ  ｒａｄｉｏ  ｂｅａｒｅｒ）のマッピング方法。
【請求項７】
前記ネットワークデバイスは、無線リソース制御（ＲＲＣ）シグナリングにより、前記ＤＲＢが確立されている端末に対して、前記ＤＲＢのマッピング様式を示してあげ、
前記ＲＲＣシグナリングには、第１ＤＲＢリスト及び第２ＤＲＢリストが含まれ、前記第１ＤＲＢリストにおけるＤＲＢを、ライセンスされた帯域にマッピングすることも認めるし、ライセンスされていない帯域にマッピングすることも認め、前記第２ＤＲＢリストにおけるＤＲＢを、ライセンスされていない帯域にマッピングすることは、認めない
ことを特徴とする請求項６のＤＲＢ（ｄａｔａ  ｒａｄｉｏ  ｂｅａｒｅｒ）のマッピング方法。
【請求項８】
前記ネットワークデバイスは、ＤＲＢのマッピング様式を決定した後、
前記ネットワークデバイスは、端末から報告したＢＳＲ(ＢＵＦＦＥＲ  ＳＴＡＴＵＳ  ＲＥＰＯＲＴ)を受信し、前記ＢＳＲには、前記ＤＲＢの伝送待機データ量が含まれ、１つの論理チャネルグループの全ての論理チャネルに対応するＤＲＢは、同一または異なるマッピング様式を有し、
１つの論理チャネルグループの論理チャネルに対応するＤＲＢが異なるマッピング様式を有すれば、前記端末から報告したＢＳＲには、前記ＢＳＲのタイプが示され、ＢＳＲのタイプは、第１タイプ及び第２タイプを含み、前記第１タイプのＢＳＲの場合、１つの論理チャネルグループに含まれる論理チャネルに対応するＤＲＢには、ライセンスされた帯域にマッピングすることのみを認められるＤＲＢが含まられ、前記第２タイプのＢＳＲの場合、１つの論理チャネルグループに含まれる論理チャネルに対応するＤＲＢには、ライセンスされた帯域にマッピングすることも認められるし、ライセンスされていないキャリアスペクトルにマッピングすることも認められるＤＲＢが含まれる
ことを特徴とする請求項１のＤＲＢ（ｄａｔａ  ｒａｄｉｏ  ｂｅａｒｅｒ）のマッピング方法。
【請求項９】
端末はＤＲＢのマッピング様式を決定するステップであって、前記ＤＲＢのマッピング様式は、ＤＲＢを、ライセンスされた帯域にマッピングするのを認めるのかおよび/またはライセンスされていない帯域にマッピングするのを認めるのかを指す前記蹴ってステップと、
前記端末は前記ＤＲＢマッピング様式により、指定されたキャリアにおいて前記ＤＲＢのサビースデータを伝送するステップと
を備えることを特徴とするＤＲＢ（ｄａｔａ  ｒａｄｉｏ  ｂｅａｒｅｒ）のマッピング方法。
【請求項１０】
前記ＤＲＢのマッピング様式は、第１マッピング様式及び第２マッピング様式を含み、
前記第１マッピング様式において、ＤＲＢをライセンスされた帯域にマッピングされることのみを認め、
前記第２マッピング様式において、ＤＲＢをライセンスされた帯域にマッピングすることも認めるし、ライセンスされていない帯域にマッピングすることも認める
ことを特徴とする請求項９のＤＲＢ（ｄａｔａ  ｒａｄｉｏ  ｂｅａｒｅｒ）のマッピング方法。
【請求項１１】
前記端末がＤＲＢのマッピング様式を決定することは、
前記端末は、ネットワークデバイスにより送信した指示情報により、前記ＤＲＢのマッピング様式を決定し、前記指示情報は、前記端末のＤＲＢのマッピング様式を示し、
または、
前記端末は、あらかじめ約定したＤＲＢのマッピング様式を従う
ことを特徴とする請求項９のＤＲＢ（ｄａｔａ  ｒａｄｉｏ  ｂｅａｒｅｒ）のマッピング方法。
【請求項１２】
前記指示情報は、無線リソース制御（ＲＲＣ）シグナリングにより受信され、
前記ＲＲＣシグナリングには、第１ＤＲＢリスト及び第２ＤＲＢリストが含まれ、前記第１ＤＲＢリストにおけるＤＲＢを、ライセンスされた帯域にマッピングすることも認めるし、ライセンスされていない帯域にマッピングすることも認め、前記第２ＤＲＢリストにおけるＤＲＢを、ライセンスされていない帯域にマッピングすることは、認めない
ことを特徴とする請求項１１のＤＲＢ（ｄａｔａ  ｒａｄｉｏ  ｂｅａｒｅｒ）のマッピング方法。
【請求項１３】
前記端末が、ネットワークデバイスにより送信した指示情報により、前記ＤＲＢのマッピング様式を決定することは、
ＤＲＢが確立される場合、前記端末は、前記ネットワークデバイスが送信した第１指示情報を受信し、前記第１指示情報によりＤＲＢのマッピング様式を決定し、前記第１指示情報は、前記端末のＤＲＢのマッピング様式を示し、
ＤＲＢが確立された後、前記端末は、前記ネットワークデバイスが送信した第２指示情報を受信し、前記第２指示情報によりＤＲＢのマッピング様式を決定し、前記第２指示情報は、前記ネットワークデバイスが前記端末のため改めて設定したＤＲＢのマッピング様式を示し、
前記端末がターゲットネットワークデバイスに切換された後、前記端末は、前記ターゲットネットワークデバイスが送信した第３指示情報を受信して、ＤＲＢのマッピング様式を決定し、前記第３指示情報は、前記ターゲットネットワークデバイスが前記端末のため改めて設定したＤＲＢのマッピング様式を示すこととのうちの１つまたはこれらの任意の組み合わせを含む
ことを特徴とする請求項１１のＤＲＢ（ｄａｔａ  ｒａｄｉｏ  ｂｅａｒｅｒ）のマッピング方法。
【請求項１４】
前記端末はＤＲＢのマッピング様式を決定した後、
前記端末は、ネットワークデバイスにＢＳＲ(ＢＵＦＦＥＲ  ＳＴＡＴＵＳ  ＲＥＰＯＲＴ)を送信し、前記ＢＳＲには、前記ＤＲＢの伝送待機データ量が含まれ、１つの論理チャネルグループの全ての論理チャネルに対応するＤＲＢは、同一または異なるマッピング様式を有し、
１つの論理チャネルグループの論理チャネルに対応するＤＲＢが異なるマッピング様式を有すれば、前記端末から報告したＢＳＲには、前記ＢＳＲのタイプが示され、ＢＳＲのタイプは、第１タイプ及び第２タイプを含み、前記第１タイプのＢＳＲの場合、１つの論理チャネルグループに含まれる論理チャネルに対応するＤＲＢには、ライセンスされた帯域にマッピングすることのみを認められるＤＲＢが含まられ、前記第２タイプのＢＳＲの場合、１つの論理チャネルグループに含まれる論理チャネルに対応するＤＲＢには、ライセンスされた帯域にマッピングすることも認められるし、ライセンスされていないキャリアスペクトルにマッピングすることも認められるＤＲＢが含まれる
ことを特徴とする請求項９のＤＲＢ（ｄａｔａ  ｒａｄｉｏ  ｂｅａｒｅｒ）のマッピング方法。
【請求項１５】
前記端末はＤＲＢのマッピング様式を決定した後、
前記端末は、ＤＲＢに対応する論理チャネルの優先度を決定し、
前記端末は、前記優先度により、ＤＲＢに対応する論理チャネルのためにリソースを割り当て、ＤＲＢに対応する論理チャネルの場合、ライセンスされた帯域にマッピングすることも認め、ライセンスされていない帯域にマッピングすることも認めれば、前記ＤＲＢのためにライセンスされていない帯域のリソースを優先的に割り当てる
ことを特徴とする請求項９のＤＲＢ（ｄａｔａ  ｒａｄｉｏ  ｂｅａｒｅｒ）のマッピング方法。
【請求項１６】
ＤＲＢのマッピング様式を決定するプロセシングモジュールであって、前記ＤＲＢのマッピング様式は、ＤＲＢを、ライセンスされた帯域にマッピングするのを認めるのかおよび/またはライセンスされていない帯域にマッピングするのを認めるのかを指すプロセシングモジュールと、
決定されたＤＲＢのマッピング様式により、指定されたキャリアにおいて前記ＤＲＢのサビースデータを伝送する送信モジュールと
を備えることを特徴とするネットワークデバイス。
【請求項１７】
前記ＤＲＢのマッピング様式は、第１マッピング様式及び第２マッピング様式を含み、
前記第１マッピング様式において、ＤＲＢをライセンスされた帯域にマッピングされることのみを認め、
前記第２マッピング様式において、ＤＲＢをライセンスされた帯域にマッピングすることも認めるし、ライセンスされていない帯域にマッピングすることも認める
ことを特徴とする請求項１６に記載のネットワークデバイス。
【請求項１８】
前記プロセシングモジュールは、
ＤＲＢのサビースの品質（ＱｏＳ）の特徴および/または無線回線制御（ＲＬＣ）伝送モードにより、ＤＲＢのマッピング様式を決定し、
または、
あらかじめ約定したＤＲＢのマッピング様式に従う
ことを特徴とする請求項１６に記載のネットワークデバイス。
【請求項１９】
前記プロセシングモジュールは、
ＤＲＢのＲＬＣモードが非肯定応答モード(ｕｎａｃｋｎｏｗｌｅｄｇｅｄ  ｍｏｄｅ，ＵＭ)である場合、ＤＲＢをライセンスされた帯域にマッピングすることのみを決定し、
ＤＲＢのＲＬＣモードが肯定応答モード（ａｃｋｎｏｗｌｅｄｇｅｄ  ｍｏｄｅ，ＡＭ)である場合、ＤＲＢをライセンスされた帯域にマッピングすることも認めるし、ライセンスされていない帯域にマッピングすることも認める
ことを特徴とする請求項１８に記載のネットワークデバイス。
【請求項２０】
前記プロセシングモジュールは、
ＤＲＢが確立される場合、ＤＲＢのサビースの品質（ＱｏＳ）の特徴および/または無線回線制御（ＲＬＣ）伝送モードにより、確立されたＤＲＢのマッピング様式を決定し、
ＤＲＢが確立された後、信号干渉の状況および/または伝送サビースの受信品質により、確立されたＤＲＢのマッピング様式を改めて決定して設定し、
前記ネットワークデバイスを切換ターゲットネットワークデバイスとする場合、前記切換端末のＤＲＢのマッピング様式を改めて決定して設定することを特徴とする請求項１６に記載のネットワークデバイス。
【請求項２１】
前記プロセシングモジュールは、
前記ＤＲＢのマッピング様式を、前記ＤＲＢが確立されている端末に示してあげる
ことを特徴とする請求項１６ないし請求項２０のいずれかに記載のネットワークデバイス。
【請求項２２】
前記プロセシングモジュールは、
無線リソース制御（ＲＲＣ）シグナリングにより、前記ＤＲＢのマッピング様式を、前記ＤＲＢが確立されている端末に示してあげ、
前記ＲＲＣシグナリングには、第１ＤＲＢリスト及び第２ＤＲＢリストが含まれ、前記第１ＤＲＢリストにおけるＤＲＢを、ライセンスされた帯域にマッピングすることも認めるし、ライセンスされていない帯域にマッピングすることも認め、前記第２ＤＲＢリストにおけるＤＲＢを、ライセンスされていない帯域にマッピングすることは、認めない
ことを特徴とする請求項２１に記載のネットワークデバイス。
【請求項２３】
端末から報告したＢＳＲ(ＢＵＦＦＥＲ  ＳＴＡＴＵＳ  ＲＥＰＯＲＴ)を受信する受信モジュールをさらに備え、
前記ＢＳＲには、前記ＤＲＢの伝送待機データ量が含まれ、１つの論理チャネルグループの全ての論理チャネルに対応するＤＲＢは、同一または異なるマッピング様式を有し、
１つの論理チャネルグループの論理チャネルに対応するＤＲＢが異なるマッピング様式を有すれば、前記端末から報告したＢＳＲには、前記ＢＳＲのタイプが示され、ＢＳＲのタイプは、第１タイプ及び第２タイプを含み、前記第１タイプのＢＳＲの場合、１つの論理チャネルグループに含まれる論理チャネルに対応するＤＲＢには、ライセンスされた帯域にマッピングすることのみを認められるＤＲＢが含まられ、前記第２タイプのＢＳＲの場合、１つの論理チャネルグループに含まれる論理チャネルに対応するＤＲＢには、ライセンスされた帯域にマッピングすることも認められるし、ライセンスされていないキャリアスペクトルにマッピングすることも認められるＤＲＢが含まれる
ことを特徴とする請求項１６に記載のネットワークデバイス。
【請求項２４】
ＤＲＢのマッピング様式を決定するプロセシングモジュールであって、前記ＤＲＢのマッピング様式は、ＤＲＢを、ライセンスされた帯域にマッピングするのを認めるのかおよび/またはライセンスされていない帯域にマッピングするのを認めるのかを指す前記プロセシングモジュールと、
前記ＤＲＢマッピング様式により、指定されたキャリアにおいて前記ＤＲＢのサビースデータを伝送する送信モジュールと
を備えることを特徴とする端末。
【請求項２５】
前記ＤＲＢのマッピング様式は、第１マッピング様式及び第２マッピング様式を含み、
前記第１マッピング様式において、ＤＲＢをライセンスされた帯域にマッピングされることのみを認め、
前記第２マッピング様式において、ＤＲＢをライセンスされた帯域にマッピングすることも認めるし、ライセンスされていない帯域にマッピングすることも認める
ことを特徴とする請求項２４に記載の端末。
【請求項２６】
前記プロセシングモジュールは、
ネットワークデバイスにより送信した指示情報により、前記ＤＲＢのマッピング様式を決定し、前記指示情報は、前記端末のＤＲＢのマッピング様式を示し、
または、
あらかじめ約定したＤＲＢのマッピング様式に従う
ことを特徴とする請求項２４に記載の端末。
【請求項２７】
無線リソース制御（ＲＲＣ）シグナリングにより前記指示情報を受信する受信モジュールをさらに備え、
前記ＲＲＣシグナリングには、第１ＤＲＢリスト及び第２ＤＲＢリストが含まれ、前記第１ＤＲＢリストにおけるＤＲＢを、ライセンスされた帯域にマッピングすることも認めるし、ライセンスされていない帯域にマッピングすることも認め、前記第２ＤＲＢリストにおけるＤＲＢを、ライセンスされていない帯域にマッピングすることは、認めないことを特徴とする請求項２６に記載の端末。
【請求項２８】
前記プロセシングモジュールは、
ＤＲＢが確立される場合、前記ネットワークデバイスが送信した第１指示情報により、ＤＲＢのマッピング様式を決定し、前記第１指示情報は、前記端末のＤＲＢのマッピング様式を示し、
ＤＲＢが確立された後、前記ネットワークデバイスが送信した第２指示情報により、ＤＲＢのマッピング様式を決定し、前記第２指示情報は、前記ネットワークデバイスが前記端末のため改めて設定したＤＲＢのマッピング様式を示し、
前記端末がターゲットネットワークデバイスに切換された後、前記ターゲットネットワークデバイスが送信した第３指示情報により、ＤＲＢのマッピング様式を決定し、前記第３指示情報は、前記ターゲットネットワークデバイスが前記端末のため改めて設定したＤＲＢのマッピング様式を示す
ことを特徴とする請求項２６に記載の端末。
【請求項２９】
前記送信モジュールは、
ネットワークデバイスにＢＳＲ(ＢＵＦＦＥＲ  ＳＴＡＴＵＳ  ＲＥＰＯＲＴ)に送信し、前記ＢＳＲには、前記ＤＲＢの伝送待機データ量が含まれ、１つの論理チャネルグループの全ての論理チャネルに対応するＤＲＢは、同一または異なるマッピング様式を有し、
１つの論理チャネルグループの論理チャネルに対応するＤＲＢが異なるマッピング様式を有すれば、ネットワークデバイスにＢＳＲ(ＢＵＦＦＥＲ  ＳＴＡＴＵＳ  ＲＥＰＯＲＴ)に送信し、ＢＳＲのタイプは、第１タイプ及び第２タイプを含み、前記第１タイプのＢＳＲの場合、１つの論理チャネルグループに含まれる論理チャネルに対応するＤＲＢには、ライセンスされた帯域にマッピングすることのみを認められるＤＲＢが含まられ、前記第２タイプのＢＳＲの場合、１つの論理チャネルグループに含まれる論理チャネルに対応するＤＲＢには、ライセンスされた帯域にマッピングすることも認められるし、ライセンスされていないキャリアスペクトルにマッピングすることも認められるＤＲＢが含まれる。ことを特徴とする請求項２４に記載の端末。
【請求項３０】
前記プロセシングモジュールは、
ＤＲＢに対応する論理チャネルの優先度を決定し、
前記優先度により、ＤＲＢに対応する論理チャネルのためリソースを割り当て、ＤＲＢに対応する論理チャネルの場合、ライセンスされた帯域にマッピングすることも認め、ライセンスされていない帯域にマッピングすることも認めれば、前記ＤＲＢのためにライセンスされていない帯域のリソースを優先的に割り当てる
ことを特徴とする請求項２４に記載の端末。
【請求項３１】
メモリ内のプログラムを読み出して、ＤＲＢのマッピング様式を決定し、決定されたＤＲＢのマッピング様式により、指定されたキャリアにおいて前記ＤＲＢのサビースデータを伝送するプロセッサと、
プロセッサの制御により、データを送受信する送受信機とを備え、
前記ＤＲＢのマッピング様式は、ＤＲＢを、ライセンスされた帯域にマッピングするのを認めるのかおよび/またはライセンスされていない帯域にマッピングするのを認めるのかを指すことを特徴とするネットワークデバイス。
【請求項３２】
前記ＤＲＢのマッピング様式は、第１マッピング様式及び第２マッピング様式を含み、
前記第１マッピング様式において、ＤＲＢをライセンスされた帯域にマッピングされることのみを認め、
前記第２マッピング様式において、ＤＲＢをライセンスされた帯域にマッピングすることも認めるし、ライセンスされていない帯域にマッピングすることも認めることを特徴とする請求項３１に記載のネットワークデバイス。
【請求項３３】
前記プロセッサは、
ＤＲＢのサビースの品質（ＱｏＳ）の特徴および/または無線回線制御（ＲＬＣ）伝送モードにより、ＤＲＢのマッピング様式を決定し、または、
あらかじめ約定したＤＲＢのマッピング様式に従うことを特徴とする請求項３１に記載のネットワークデバイス。
【請求項３４】
前記プロセッサは、
ＤＲＢのＲＬＣモードが非肯定応答モード(ｕｎａｃｋｎｏｗｌｅｄｇｅｄ  ｍｏｄｅ，ＵＭ)である場合、ＤＲＢをライセンスされた帯域にマッピングすることのみを決定し、
ＤＲＢのＲＬＣモードが肯定応答モード（ａｃｋｎｏｗｌｅｄｇｅｄ  ｍｏｄｅ，ＡＭ)である場合、ＤＲＢをライセンスされた帯域にマッピングすることも認めるし、ライセンスされていない帯域にマッピングすることも認めることを特徴とする請求項３３に記載のネットワークデバイス。
【請求項３５】
前記プロセッサは、
ＤＲＢが確立される場合、ＤＲＢのサビースの品質（ＱｏＳ）の特徴および/または無線回線制御（ＲＬＣ）伝送モードにより、確立されたＤＲＢのマッピング様式を決定し、
ＤＲＢが確立された後、信号干渉の状況および/または伝送サビースの受信品質により、確立されたＤＲＢのマッピング様式を改めて決定して設定し、
前記ネットワークデバイスを切換ターゲットネットワークデバイスとする場合、前記切換端末のＤＲＢのマッピング様式を改めて決定して設定することを特徴とする請求項３１に記載のネットワークデバイス。
【請求項３６】
前記プロセッサは、前記ＤＲＢのマッピング様式を、前記ＤＲＢが確立されている端末に示してあげることを特徴とする請求項３１ないし請求項３５のいずれかに記載のネットワークデバイス。
【請求項３７】
前記プロセッサは、
無線リソース制御（ＲＲＣ）シグナリングにより、前記ＤＲＢのマッピング様式を、前記ＤＲＢが確立されている端末に示してあげ、
前記ＲＲＣシグナリングには、第１ＤＲＢリスト及び第２ＤＲＢリストが含まれ、前記第１ＤＲＢリストにおけるＤＲＢを、ライセンスされた帯域にマッピングすることも認めるし、ライセンスされていない帯域にマッピングすることも認め、前記第２ＤＲＢリストにおけるＤＲＢを、ライセンスされていない帯域にマッピングすることは、認めないことを特徴とする請求項３６に記載のネットワークデバイス。
【請求項３８】
前記送受信機は、
端末から報告したＢＳＲ(ＢＵＦＦＥＲ  ＳＴＡＴＵＳ  ＲＥＰＯＲＴ)を受信し、前記ＢＳＲには、前記ＤＲＢの伝送待機データ量が含まれ、１つの論理チャネルグループの全ての論理チャネルに対応するＤＲＢは、同一または異なるマッピング様式を有し、
１つの論理チャネルグループの論理チャネルに対応するＤＲＢが異なるマッピング様式を有すれば、前記端末から報告したＢＳＲには、前記ＢＳＲのタイプが示され、ＢＳＲのタイプは、第１タイプ及び第２タイプを含み、前記第１タイプのＢＳＲの場合、１つの論理チャネルグループに含まれる論理チャネルに対応するＤＲＢには、ライセンスされた帯域にマッピングすることのみを認められるＤＲＢが含まられ、前記第２タイプのＢＳＲの場合、１つの論理チャネルグループに含まれる論理チャネルに対応するＤＲＢには、ライセンスされた帯域にマッピングすることも認められるし、ライセンスされていないキャリアスペクトルにマッピングすることも認められるＤＲＢが含まれることを特徴とする請求項３１に記載のネットワークデバイス。
【請求項３９】
プロセッサと、送受信機とを備え、
前記プロセッサは、メモリ内のプログラムを読み出して、ＤＲＢのマッピング様式を決定し、前記ＤＲＢのマッピング様式とは、ＤＲＢを、ライセンスされた帯域にマッピングするのを認めるのかおよび/またはライセンスされていない帯域にマッピングするのを認めるのかを指すことであり、また、前記ＤＲＢマッピング様式により、送受信機を介して、指定されたキャリアにおいて前記ＤＲＢのサビースデータを伝送することを特徴とする端末。
【請求項４０】
前記ＤＲＢのマッピング様式は、第１マッピング様式及び第２マッピング様式を含み、
前記第１マッピング様式において、ＤＲＢをライセンスされた帯域にマッピングされることのみを認め、
前記第２マッピング様式において、ＤＲＢをライセンスされた帯域にマッピングすることも認めるし、ライセンスされていない帯域にマッピングすることも認めることを特徴とする請求項３９に記載の端末。
【請求項４１】
前記プロセッサは、
ネットワークデバイスにより送信した指示情報により、前記ＤＲＢのマッピング様式を決定し、前記指示情報は、前記端末のＤＲＢのマッピング様式を示し、または、
あらかじめ約定したＤＲＢのマッピング様式に従うことを特徴とする請求項３９に記載の端末。
【請求項４２】
前記送受信機は、
無線リソース制御（ＲＲＣ）シグナリングにより、前記指示情報を受信し、
前記ＲＲＣシグナリングには、第１ＤＲＢリスト及び第２ＤＲＢリストが含まれ、前記第１ＤＲＢリストにおけるＤＲＢを、ライセンスされた帯域にマッピングすることも認めるし、ライセンスされていない帯域にマッピングすることも認め、前記第２ＤＲＢリストにおけるＤＲＢを、ライセンスされていない帯域にマッピングすることは、認めないことを特徴とする請求項４１に記載の端末。
【請求項４３】
前記プロセッサは、
ＤＲＢが確立される場合、前記ネットワークデバイスが送信した第１指示情報により、ＤＲＢのマッピング様式を決定し、前記第１指示情報は、前記端末のＤＲＢのマッピング様式を示し、
ＤＲＢが確立された後、前記ネットワークデバイスが送信した第２指示情報により、ＤＲＢのマッピング様式を決定し、前記第２指示情報は、前記ネットワークデバイスが前記端末のため改めて設定したＤＲＢのマッピング様式を示し、
前記端末がターゲットネットワークデバイスに切換された後、前記ターゲットネットワークデバイスが送信した第３指示情報により、ＤＲＢのマッピング様式を決定し、前記第３指示情報は、前記ターゲットネットワークデバイスが前記端末のため改めて設定したＤＲＢのマッピング様式を示すことを特徴とする請求項４１に記載の端末。
【請求項４４】
前記送受信機は、
ネットワークデバイスにＢＳＲ(ＢＵＦＦＥＲ  ＳＴＡＴＵＳ  ＲＥＰＯＲＴ)に送信し、前記ＢＳＲには、前記ＤＲＢの伝送待機データ量が含まれ、１つの論理チャネルグループの全ての論理チャネルに対応するＤＲＢは、同一または異なるマッピング様式を有し、
１つの論理チャネルグループの論理チャネルに対応するＤＲＢが異なるマッピング様式を有すれば、ネットワークデバイスにＢＳＲ(ＢＵＦＦＥＲ  ＳＴＡＴＵＳ  ＲＥＰＯＲＴ)に送信し、ＢＳＲのタイプは、第１タイプ及び第２タイプを含み、前記第１タイプのＢＳＲの場合、１つの論理チャネルグループに含まれる論理チャネルに対応するＤＲＢには、ライセンスされた帯域にマッピングすることのみを認められるＤＲＢが含まられ、前記第２タイプのＢＳＲの場合、１つの論理チャネルグループに含まれる論理チャネルに対応するＤＲＢには、ライセンスされた帯域にマッピングすることも認められるし、ライセンスされていないキャリアスペクトルにマッピングすることも認められるＤＲＢが含まれることを特徴とする請求項３９に記載の端末。
【請求項４５】
前記プロセッサは、
ＤＲＢに対応する論理チャネルの優先度を決定し、
前記優先度により、ＤＲＢに対応する論理チャネルのためリソースを割り当て、
ＤＲＢに対応する論理チャネルの場合、ライセンスされた帯域にマッピングすることも認め、ライセンスされていない帯域にマッピングすることも認めれば、前記ＤＲＢのためにライセンスされていない帯域のリソースを優先的に割り当てることを特徴とする請求項３９に記載の端末。
【発明の詳細な説明】
【技術分野】
【０００１】
本発明は通信技術分野に関し、特にＤＲＢマッピング方法および装置に関する。
【背景技術】
【０００２】
ＬＴＥ（Ｌｏｎｇ Ｔｅｒｍ Ｅｖｏｌｕｔｉｏｎ）システム技術の普及及びグローバルＬＴＥ携帯ネットワークのグローバルユーザー数の高速成長と伴い、ＬＴＥシステムの利用可能なライセンスされたスペクトルリソースが乏しくなる一方である。移動データ伝送量が引き続き伸び上がっていくため、従来のライセンスされたスペクトルリソースは、ユーザーのニーズへだんだん答えられなくなり、ＬＴＥシステムにおいて、ライセンスされていないスペクトルリソース上で伝送するようなことを考案する必要があるようになってきた。
【０００３】
ライセンスされていないＬＴＥ（ＬＴＥ−Ｕｎｌｉｃｅｎｓｅｄ，ＬＴＥ−Ｕ）は、ライセンスされていないスペクトルに基づくＬＴＥサビースを提供する技術である。現在、Ｗｉ−Ｆｉ、ブルートゥース（登録商標）等の複数の無線通信技術が、ライセンスされていないスペクトルを応用している。ＬＴＥにおいて、ライセンスされていないスペクトルが利用される場合、時分割多重の態様で他の無線通信技術とともにスペクトルを共有する必要がある。また、異なる運営業者のＬＴＥネットワークは、同様なライセンスされていないスペクトルを利用することができるため、強烈な干渉を与えるのは当然である。
【０００４】
現在、ライセンスされていないスペクトルリソースにおけるデータ伝送の技術がまだ案出されていない。
【発明の概要】
【発明が解決しようとする課題】
【０００５】
本発明に係る実施例は、ＤＲＢマッピング方法および装置を提供し、ライセンスされていないスペクトルリソース仁おいてデータを伝送するようにさせる。
【課題を解決するための手段】
【０００６】
本発明に係る実施例により提供されるＤＲＢ（ｄａｔａ  ｒａｄｉｏ  ｂｅａｒｅｒ）マッピング方法は、
ネットワークデバイスは、ＤＲＢのマッピング様式を決定するステップであって、前記ＤＲＢのマッピング様式は、ＤＲＢを、ライセンスされた帯域にマッピングするのを認めるのかおよび/またはライセンスされていない帯域にマッピングするのを認めるのかを指す前記決定ステップと、
前記ネットワークデバイスは、決定されたＤＲＢのマッピング様式により、指定されたキャリアにおいて前記ＤＲＢのサビースデータを伝送するステップとを備える。
【０００７】
好ましくは、前記ＤＲＢのマッピング様式は、第１マッピング様式及び第２マッピング様式を含み、
前記第１マッピング様式において、ＤＲＢをライセンスされた帯域にマッピングされることのみを認め、
前記第２マッピング様式において、ＤＲＢをライセンスされた帯域にマッピングすることも認めるし、ライセンスされていない帯域にマッピングすることも認める。
【０００８】
好ましくは、前記ネットワークデバイスは、ＤＲＢのマッピング様式を決定するステップは、
前記ネットワークークデバイスは、ＤＲＢのサビースの品質（ＱｏＳ）の特徴および/または無線回線制御（ＲＬＣ）伝送モードにより、ＤＲＢのマッピング様式を決定するか、または、
前記ネットワークデバイスは、あらかじめ約定したＤＲＢのマッピング様式に従う。
【０００９】
好ましくは、前記ネットワークデバイスがＲＬＣ伝送モードによりＤＲＢのマッピング様式を決定するステップは、
ＤＲＢのＲＬＣモードが非肯定応答モード(ｕｎａｃｋｎｏｗｌｅｄｇｅｄ  ｍｏｄｅ，ＵＭ)である場合、ＤＲＢをライセンスされた帯域にマッピングすることのみを決定するステップと、
ＤＲＢのＲＬＣモードが肯定応答モード（ａｃｋｎｏｗｌｅｄｇｅｄ  ｍｏｄｅ，ＡＭ)である場合、ＤＲＢをライセンスされた帯域にマッピングすることも認めるし、ライセンスされていない帯域にマッピングすることも認めるステップとを備える。
【００１０】
好ましくは、前記ネットワークデバイスが前記ＤＲＢのマッピング様式を決定することは、
前記ネットワークデバイスは、ＤＲＢが確立された場合、ＤＲＢのサビースの品質（ＱｏＳ）の特徴および/または無線回線制御（ＲＬＣ）伝送モードにより、確立されたＤＲＢのマッピング様式を決定することと、
前記ネットワークデバイスは、ＤＲＢが確立された場合、信号干渉の状況および/または伝送サビースの受信品質により、確立されたＤＲＢのマッピング様式を改めて決定して設定することと、
前記ネットワークデバイスは、切換ターゲットネットワークデバイスとして、ソースネットワークデバイスからの切換端末のＤＲＢマッピング様式情報を受信し、前記ターゲットネットワークデバイスは、前記切換端末のＤＲＢのマッピング様式を改めて決定して設定することとのうちの１つまたはこれらの任意の組み合わせを含む。
【００１１】
好ましくは、前記ネットワークデバイスは、ＤＲＢのマッピング様式を決定した後、
前記ネットワークデバイスは、前記ＤＲＢが確立されている端末に対して、前記ＤＲＢのマッピング様式を示してあげるステップをさらに備える。
【００１２】
好ましくは、前記ネットワークデバイスは、無線リソース制御（ＲＲＣ）シグナリングにより、前記ＤＲＢが確立されている端末に対して、前記ＤＲＢのマッピング様式を示し、
前記ＲＲＣシグナリングには、第１ＤＲＢリスト及び第２ＤＲＢリストが含まれ、前記第１ＤＲＢリストにおけるＤＲＢを、ライセンスされた帯域にマッピングすることも認めるし、ライセンスされていない帯域にマッピングすることも認め、前記第２ＤＲＢリストにおけるＤＲＢを、ライセンスされていない帯域にマッピングすることは、認めない。
【００１３】
好ましくは、前記ネットワークデバイスは、ＤＲＢのマッピング様式を決定した後、
前記ネットワークデバイスは、端末から報告したＢＳＲ(ＢＵＦＦＥＲ  ＳＴＡＴＵＳ  ＲＥＰＯＲＴ)を受信するステップをさらに備え、前記ＢＳＲには、前記ＤＲＢの伝送待機データ量が含まれ、１つの論理チャネルグループの全ての論理チャネルに対応するＤＲＢは、同一または異なるマッピング様式を有し、
１つの論理チャネルグループの論理チャネルに対応するＤＲＢが異なるマッピング様式を有すれば、前記端末から報告したＢＳＲには、前記ＢＳＲのタイプが示され、ＢＳＲのタイプは、第１タイプ及び第２タイプを含み、前記第１タイプのＢＳＲの場合、１つの論理チャネルグループに含まれる論理チャネルに対応するＤＲＢには、ライセンスされた帯域にマッピングすることのみを認められるＤＲＢが含まられ、前記第２タイプのＢＳＲの場合、１つの論理チャネルグループに含まれる論理チャネルに対応するＤＲＢには、ライセンスされた帯域にマッピングすることも認められるし、ライセンスされていないキャリアスペクトルにマッピングすることも認められるＤＲＢが含まれる。
【００１４】
本発明により提供される他のＤＲＢ（ｄａｔａ  ｒａｄｉｏ  ｂｅａｒｅｒ）マッピング方法は、
端末はＤＲＢのマッピング様式を決定するステップであって、前記ＤＲＢのマッピング様式は、ＤＲＢを、ライセンスされた帯域にマッピングするのを認めるのかおよび/またはライセンスされていない帯域にマッピングするのを認めるのかを指す前記決定ステップと、
前記端末は前記ＤＲＢマッピング様式により、指定されたキャリアにおいて前記ＤＲＢのサビースデータを伝送するステップとを備える。
【００１５】
好ましくは、前記ＤＲＢのマッピング様式は、第１マッピング様式及び第２マッピング様式を含み、
前記第１マッピング様式において、ＤＲＢをライセンスされた帯域にマッピングされることのみを認め、
前記第２マッピング様式において、ＤＲＢをライセンスされた帯域にマッピングすることも認めるし、ライセンスされていない帯域にマッピングすることも認める。
【００１６】
好ましくは、前記端末はＤＲＢのマッピング様式を決定するステップは、
前記端末は、ネットワークデバイスにより送信した指示情報により、前記ＤＲＢのマッピング様式を決定し、前記指示情報は、前記端末のＤＲＢのマッピング様式を示し、または、
前記端末は、あらかじめ約定したＤＲＢのマッピング様式を従う。
【００１７】
好ましくは、前記指示情報は、無線リソース制御（ＲＲＣ）シグナリングにより受信され、
前記ＲＲＣシグナリングには、第１ＤＲＢリスト及び第２ＤＲＢリストが含まれ、前記第１ＤＲＢリストにおけるＤＲＢを、ライセンスされた帯域にマッピングすることも認めるし、ライセンスされていない帯域にマッピングすることも認め、前記第２ＤＲＢリストにおけるＤＲＢを、ライセンスされていない帯域にマッピングすることは、認めない。
【００１８】
好ましくは、前記端末は、ネットワークデバイスにより送信した指示情報により、前記ＤＲＢのマッピング様式を決定し、こととのうちの１つまたはこれらの任意の組み合わせを含み、
ＤＲＢが確立される場合、前記端末は、前記ネットワークデバイスが送信した第１指示情報を受信し、前記第１指示情報によりＤＲＢのマッピング様式を決定し、前記第１指示情報は、前記端末のＤＲＢのマッピング様式を示し、
ＤＲＢが確立された後、前記端末は、前記ネットワークデバイスが送信した第２指示情報を受信し、前記第２指示情報によりＤＲＢのマッピング様式を決定し、前記第２指示情報は、前記ネットワークデバイスが前記端末のため改めて設定したＤＲＢのマッピング様式を示し、
前記端末がターゲットネットワークデバイスに切換された後、前記端末は、前記ターゲットネットワークデバイスが送信した第３指示情報を受信して、ＤＲＢのマッピング様式を決定し、前記第３指示情報は、前記ターゲットネットワークデバイスが前記端末のため改めて設定したＤＲＢのマッピング様式を示す。
【００１９】
好ましくは、前記端末がＤＲＢのマッピング様式を決定するした後、
前記端末は、ネットワークデバイスにＢＳＲ(ＢＵＦＦＥＲ  ＳＴＡＴＵＳ  ＲＥＰＯＲＴ)を送信し、前記ＢＳＲには、前記ＤＲＢの伝送待機データ量が含まれ、１つの論理チャネルグループの全ての論理チャネルに対応するＤＲＢは、同一または異なるマッピング様式を有し、
１つの論理チャネルグループの論理チャネルに対応するＤＲＢが異なるマッピング様式を有すれば、前記端末から報告したＢＳＲには、前記ＢＳＲのタイプが示され、ＢＳＲのタイプは、第１タイプ及び第２タイプを含み、前記第１タイプのＢＳＲの場合、１つの論理チャネルグループに含まれる論理チャネルに対応するＤＲＢには、ライセンスされた帯域にマッピングすることのみを認められるＤＲＢが含まられ、前記第２タイプのＢＳＲの場合、１つの論理チャネルグループに含まれる論理チャネルに対応するＤＲＢには、ライセンスされた帯域にマッピングすることも認められるし、ライセンスされていないキャリアスペクトルにマッピングすることも認められるＤＲＢが含まれる。
【００２０】
好ましくは、前記端末がＤＲＢのマッピング様式を決定した後、
前記端末は、ＤＲＢに対応する論理チャネルの優先度を決定し、
前記端末は、前記優先度により、ＤＲＢに対応する論理チャネルのためにリソースを割り当て、ＤＲＢに対応する論理チャネルの場合、ライセンスされた帯域にマッピングすることも認め、ライセンスされていない帯域にマッピングすることも認めれば、前記ＤＲＢのためにライセンスされていない帯域のリソースを優先的に割り当てる。
【００２１】
本発明に係る実施例により提供されるネットワークデバイスは、
ＤＲＢのマッピング様式を決定するプロセシングモジュールであって、前記ＤＲＢのマッピング様式は、ＤＲＢを、ライセンスされた帯域にマッピングするのを認めるのかおよび/またはライセンスされていない帯域にマッピングするのを認めるのかを指す前記プロセシングモジュールと、
決定されたＤＲＢのマッピング様式により、指定されたキャリアにおいて前記ＤＲＢのサビースデータを伝送する送信モジュールとを備える。
【００２２】
好ましくは、前記ＤＲＢのマッピング様式は、第１マッピング様式及び第２マッピング様式を含み、
前記第１マッピング様式において、ＤＲＢをライセンスされた帯域にマッピングされることのみを認め、
前記第２マッピング様式において、ＤＲＢをライセンスされた帯域にマッピングすることも認めるし、ライセンスされていない帯域にマッピングすることも認める。
【００２３】
好ましくは、前記プロセシングモジュールは、
ＤＲＢのサビースの品質（ＱｏＳ）の特徴および/または無線回線制御（ＲＬＣ）伝送モードにより、ＤＲＢのマッピング様式を決定し、または、
あらかじめ約定したＤＲＢのマッピング様式に従う。
【００２４】
好ましくは、前記プロセシングモジュールは、
ＤＲＢのＲＬＣモードが非肯定応答モード(ｕｎａｃｋｎｏｗｌｅｄｇｅｄ  ｍｏｄｅ，ＵＭ)である場合、ＤＲＢをライセンスされた帯域にマッピングすることのみを決定し、
ＤＲＢのＲＬＣモードが肯定応答モード（ａｃｋｎｏｗｌｅｄｇｅｄ  ｍｏｄｅ，ＡＭ)である場合、ＤＲＢをライセンスされた帯域にマッピングすることも認めるし、ライセンスされていない帯域にマッピングすることも認める。
【００２５】
好ましくは、前記プロセシングモジュールは、
ＤＲＢが確立される場合、ＤＲＢのサビースの品質（ＱｏＳ）の特徴および/または無線回線制御（ＲＬＣ）伝送モードにより、確立されたＤＲＢのマッピング様式を決定し、
ＤＲＢが確立された後、信号干渉の状況および/または伝送サビースの受信品質により、確立されたＤＲＢのマッピング様式を改めて決定して設定し、
前記ネットワークデバイスを切換ターゲットネットワークデバイスとする場合、前記切換端末のＤＲＢのマッピング様式を改めて決定して設定する。
【００２６】
好ましくは、前記プロセシングモジュールは、
前記ＤＲＢのマッピング様式を、前記ＤＲＢが確立されている端末に示してあげる。
【００２７】
好ましくは、前記プロセシングモジュールは、
無線リソース制御（ＲＲＣ）シグナリングにより、前記ＤＲＢのマッピング様式を、前記ＤＲＢが確立されている端末に示してあげ、
前記ＲＲＣシグナリングには、第１ＤＲＢリスト及び第２ＤＲＢリストが含まれ、前記第１ＤＲＢリストにおけるＤＲＢを、ライセンスされた帯域にマッピングすることも認めるし、ライセンスされていない帯域にマッピングすることも認め、前記第２ＤＲＢリストにおけるＤＲＢを、ライセンスされていない帯域にマッピングすることは、認めない。
【００２８】
好ましくは、端末から報告したＢＳＲ(ＢＵＦＦＥＲ  ＳＴＡＴＵＳ  ＲＥＰＯＲＴ)を受信する受信モジュールをさらに備え、
前記ＢＳＲには、前記ＤＲＢの伝送待機データ量が含まれ、１つの論理チャネルグループの全ての論理チャネルに対応するＤＲＢは、同一または異なるマッピング様式を有し、
１つの論理チャネルグループの論理チャネルに対応するＤＲＢが異なるマッピング様式を有すれば、前記端末から報告したＢＳＲには、前記ＢＳＲのタイプが示され、ＢＳＲのタイプは、第１タイプ及び第２タイプを含み、前記第１タイプのＢＳＲの場合、１つの論理チャネルグループに含まれる論理チャネルに対応するＤＲＢには、ライセンスされた帯域にマッピングすることのみを認められるＤＲＢが含まられ、前記第２タイプのＢＳＲの場合、１つの論理チャネルグループに含まれる論理チャネルに対応するＤＲＢには、ライセンスされた帯域にマッピングすることも認められるし、ライセンスされていないキャリアスペクトルにマッピングすることも認められるＤＲＢが含まれる。
【００２９】
本発明に係る実施例により提供される端末は、
ＤＲＢのマッピング様式を決定するプロセシングモジュールであって、前記ＤＲＢのマッピング様式は、ＤＲＢを、ライセンスされた帯域にマッピングするのを認めるのかおよび/またはライセンスされていない帯域にマッピングするのを認めるのかを指すプロセシングモジュールと、
前記ＤＲＢマッピング様式により、指定されたキャリアにおいて前記ＤＲＢのサビースデータを伝送する送信モジュールとを備える。
【００３０】
好ましくは、前記ＤＲＢのマッピング様式は、第１マッピング様式及び第２マッピング様式を含み、
前記第１マッピング様式において、ＤＲＢをライセンスされた帯域にマッピングされることのみを認め、
前記第２マッピング様式において、ＤＲＢをライセンスされた帯域にマッピングすることも認めるし、ライセンスされていない帯域にマッピングすることも認める。
【００３１】
好ましくは、前記プロセシングモジュールは、
ネットワークデバイスにより送信した指示情報により、前記ＤＲＢのマッピング様式を決定し、前記指示情報は、前記端末のＤＲＢのマッピング様式を示し、または、
あらかじめ約定したＤＲＢのマッピング様式に従う。
【００３２】
好ましくは、無線リソース制御（ＲＲＣ）シグナリングにより前記指示情報を受信する受信モジュールをさらに備え、
前記ＲＲＣシグナリングには、第１ＤＲＢリスト及び第２ＤＲＢリストが含まれ、前記第１ＤＲＢリストにおけるＤＲＢを、ライセンスされた帯域にマッピングすることも認めるし、ライセンスされていない帯域にマッピングすることも認め、前記第２ＤＲＢリストにおけるＤＲＢを、ライセンスされていない帯域にマッピングすることは、認めない。
【００３３】
好ましくは、前記プロセシングモジュールは、
ＤＲＢが確立される場合、前記ネットワークデバイスが送信した第１指示情報により、ＤＲＢのマッピング様式を決定し、前記第１指示情報は、前記端末のＤＲＢのマッピング様式を示し、
ＤＲＢが確立された後、前記ネットワークデバイスが送信した第２指示情報により、ＤＲＢのマッピング様式を決定し、前記第２指示情報は、前記ネットワークデバイスが前記端末のため改めて設定したＤＲＢのマッピング様式を示し、
前記端末がターゲットネットワークデバイスに切換された後、前記ターゲットネットワークデバイスが送信した第３指示情報により、ＤＲＢのマッピング様式を決定し、前記第３指示情報は、前記ターゲットネットワークデバイスが前記端末のため改めて設定したＤＲＢのマッピング様式を示す。
【００３４】
好ましくは、前記送信モジュールは、
ネットワークデバイスにＢＳＲ(ＢＵＦＦＥＲ  ＳＴＡＴＵＳ  ＲＥＰＯＲＴ)に送信し、前記ＢＳＲには、前記ＤＲＢの伝送待機データ量が含まれ、１つの論理チャネルグループの全ての論理チャネルに対応するＤＲＢは、同一または異なるマッピング様式を有し、
１つの論理チャネルグループの論理チャネルに対応するＤＲＢが異なるマッピング様式を有すれば、ネットワークデバイスにＢＳＲ(ＢＵＦＦＥＲ  ＳＴＡＴＵＳ  ＲＥＰＯＲＴ)に送信し、ＢＳＲのタイプは、第１タイプ及び第２タイプを含み、前記第１タイプのＢＳＲの場合、１つの論理チャネルグループに含まれる論理チャネルに対応するＤＲＢには、ライセンスされた帯域にマッピングすることのみを認められるＤＲＢが含まられ、前記第２タイプのＢＳＲの場合、１つの論理チャネルグループに含まれる論理チャネルに対応するＤＲＢには、ライセンスされた帯域にマッピングすることも認められるし、ライセンスされていないキャリアスペクトルにマッピングすることも認められるＤＲＢが含まれる。
【００３５】
好ましくは、前記プロセシングモジュールは、
ＤＲＢに対応する論理チャネルの優先度を決定し、
前記優先度により、ＤＲＢに対応する論理チャネルのためリソースを割り当て、ＤＲＢに対応する論理チャネルの場合、ライセンスされた帯域にマッピングすることも認め、ライセンスされていない帯域にマッピングすることも認めれば、前記ＤＲＢのためにライセンスされていない帯域のリソースを優先的に割り当てる。
【００３６】
ネットワークデバイスは、プロセッサ及び送受信機を備え、
前記プロセッサは、メモリ内のプログラムを読み出して、ＤＲＢのマッピング様式を決定し、前記ＤＲＢのマッピング様式とは、ＤＲＢを、ライセンスされた帯域にマッピングするのを認めるのかおよび/またはライセンスされていない帯域にマッピングするのを認めるのかを指すことであり、
決定されたＤＲＢのマッピング様式により、指定されたキャリアにおいて前記ＤＲＢのサビースデータを伝送し、
前記送受信機は、プロセッサの制御により、データを送受信する。
【００３７】
好ましくは、前記ＤＲＢのマッピング様式は、第１マッピング様式及び第２マッピング様式を含み、
前記第１マッピング様式において、ＤＲＢをライセンスされた帯域にマッピングされることのみを認め、
前記第２マッピング様式において、ＤＲＢをライセンスされた帯域にマッピングすることも認めるし、ライセンスされていない帯域にマッピングすることも認める。
【００３８】
好ましくは、前記プロセッサは、
ＤＲＢのサビースの品質（ＱｏＳ）の特徴および/または無線回線制御（ＲＬＣ）伝送モードにより、ＤＲＢのマッピング様式を決定し、または、
あらかじめ約定したＤＲＢのマッピング様式に従う。
【００３９】
好ましくは、前記プロセッサは、
ＤＲＢのＲＬＣモードが非肯定応答モード(ｕｎａｃｋｎｏｗｌｅｄｇｅｄ  ｍｏｄｅ，ＵＭ)である場合、ＤＲＢをライセンスされた帯域にマッピングすることのみを決定し、
ＤＲＢのＲＬＣモードが肯定応答モード（ａｃｋｎｏｗｌｅｄｇｅｄ  ｍｏｄｅ，ＡＭ)である場合、ＤＲＢをライセンスされた帯域にマッピングすることも認めるし、ライセンスされていない帯域にマッピングすることも認める。
【００４０】
好ましくは、前記プロセッサは、
ＤＲＢが確立される場合、ＤＲＢのサビースの品質（ＱｏＳ）の特徴および/または無線回線制御（ＲＬＣ）伝送モードにより、確立されたＤＲＢのマッピング様式を決定し、
ＤＲＢが確立された後、信号干渉の状況および/または伝送サビースの受信品質により、確立されたＤＲＢのマッピング様式を改めて決定して設定し、
前記ネットワークデバイスを切換ターゲットネットワークデバイスとする場合、前記切換端末のＤＲＢのマッピング様式を改めて決定して設定する。
【００４１】
好ましくは、前記プロセッサは、前記ＤＲＢのマッピング様式を、前記ＤＲＢが確立されている端末に示してあげる。
【００４２】
好ましくは、前記プロセッサは、
無線リソース制御（ＲＲＣ）シグナリングにより、前記ＤＲＢのマッピング様式を、前記ＤＲＢが確立されている端末に示してあげ、
前記ＲＲＣシグナリングには、第１ＤＲＢリスト及び第２ＤＲＢリストが含まれ、前記第１ＤＲＢリストにおけるＤＲＢを、ライセンスされた帯域にマッピングすることも認めるし、ライセンスされていない帯域にマッピングすることも認め、前記第２ＤＲＢリストにおけるＤＲＢを、ライセンスされていない帯域にマッピングすることは、認めない。
【００４３】
好ましくは、前記送受信機は、
端末から報告したＢＳＲ(ＢＵＦＦＥＲ  ＳＴＡＴＵＳ  ＲＥＰＯＲＴ)を受信し、前記ＢＳＲには、前記ＤＲＢの伝送待機データ量が含まれ、１つの論理チャネルグループの全ての論理チャネルに対応するＤＲＢは、同一または異なるマッピング様式を有し、
１つの論理チャネルグループの論理チャネルに対応するＤＲＢが異なるマッピング様式を有すれば、前記端末から報告したＢＳＲには、前記ＢＳＲのタイプが示され、ＢＳＲのタイプは、第１タイプ及び第２タイプを含み、前記第１タイプのＢＳＲの場合、１つの論理チャネルグループに含まれる論理チャネルに対応するＤＲＢには、ライセンスされた帯域にマッピングすることのみを認められるＤＲＢが含まられ、前記第２タイプのＢＳＲの場合、１つの論理チャネルグループに含まれる論理チャネルに対応するＤＲＢには、ライセンスされた帯域にマッピングすることも認められるし、ライセンスされていないキャリアスペクトルにマッピングすることも認められるＤＲＢが含まれる。
【００４４】
端末は、プロセッサ及び送受信機を備え、
前記プロセッサは、メモリ内のプログラムを読み出して、ＤＲＢのマッピング様式を決定し、前記ＤＲＢのマッピング様式とは、ＤＲＢを、ライセンスされた帯域にマッピングするのを認めるのかおよび/またはライセンスされていない帯域にマッピングするのを認めるのかを指すことであり、また、前記ＤＲＢマッピング様式により、送受信機を介して、指定されたキャリアにおいて前記ＤＲＢのサビースデータを伝送する。
【００４５】
好ましくは、前記ＤＲＢのマッピング様式は、第１マッピング様式及び第２マッピング様式を含み、
前記第１マッピング様式において、ＤＲＢをライセンスされた帯域にマッピングされることのみを認め、
前記第２マッピング様式において、ＤＲＢをライセンスされた帯域にマッピングすることも認めるし、ライセンスされていない帯域にマッピングすることも認める。
【００４６】
好ましくは、前記プロセッサは、
ネットワークデバイスにより送信した指示情報により、前記ＤＲＢのマッピング様式を決定し、前記指示情報は、前記端末のＤＲＢのマッピング様式を示し；または、
あらかじめ約定したＤＲＢのマッピング様式に従う。
【００４７】
好ましくは、前記送受信機は、
無線リソース制御（ＲＲＣ）シグナリングにより、前記指示情報を受信、
前記ＲＲＣシグナリングには、第１ＤＲＢリスト及び第２ＤＲＢリストが含まれ、前記第１ＤＲＢリストにおけるＤＲＢを、ライセンスされた帯域にマッピングすることも認めるし、ライセンスされていない帯域にマッピングすることも認め、前記第２ＤＲＢリストにおけるＤＲＢを、ライセンスされていない帯域にマッピングすることは、認めない。
【００４８】
好ましくは、前記プロセッサは、
ＤＲＢが確立される場合、前記ネットワークデバイスが送信した第１指示情報により、ＤＲＢのマッピング様式を決定し、前記第１指示情報は、前記端末のＤＲＢのマッピング様式を示し、
ＤＲＢが確立された後、前記ネットワークデバイスが送信した第２指示情報により、ＤＲＢのマッピング様式を決定し、前記第２指示情報は、前記ネットワークデバイスが前記端末のため改めて設定したＤＲＢのマッピング様式を示し、
前記端末がターゲットネットワークデバイスに切換された後、前記ターゲットネットワークデバイスが送信した第３指示情報により、ＤＲＢのマッピング様式を決定し、前記第３指示情報は、前記ターゲットネットワークデバイスが前記端末のため改めて設定したＤＲＢのマッピング様式を示す。
【００４９】
好ましくは、前記送受信機は、
ネットワークデバイスにＢＳＲ(ＢＵＦＦＥＲ  ＳＴＡＴＵＳ  ＲＥＰＯＲＴ)に送信し、前記ＢＳＲには、前記ＤＲＢの伝送待機データ量が含まれ、１つの論理チャネルグループの全ての論理チャネルに対応するＤＲＢは、同一または異なるマッピング様式を有し、
１つの論理チャネルグループの論理チャネルに対応するＤＲＢが異なるマッピング様式を有すれば、ネットワークデバイスにＢＳＲ(ＢＵＦＦＥＲ  ＳＴＡＴＵＳ  ＲＥＰＯＲＴ)に送信し、ＢＳＲのタイプは、第１タイプ及び第２タイプを含み、前記第１タイプのＢＳＲの場合、１つの論理チャネルグループに含まれる論理チャネルに対応するＤＲＢには、ライセンスされた帯域にマッピングすることのみを認められるＤＲＢが含まられ、前記第２タイプのＢＳＲの場合、１つの論理チャネルグループに含まれる論理チャネルに対応するＤＲＢには、ライセンスされた帯域にマッピングすることも認められるし、ライセンスされていないキャリアスペクトルにマッピングすることも認められるＤＲＢが含まれる。
【００５０】
好ましくは、前記プロセッサは、
ＤＲＢに対応する論理チャネルの優先度を決定し、
前記優先度により、ＤＲＢに対応する論理チャネルのためリソースを割り当て、ＤＲＢに対応する論理チャネルの場合、ライセンスされた帯域にマッピングすることも認め、ライセンスされていない帯域にマッピングすることも認めれば、前記ＤＲＢのためにライセンスされていない帯域のリソースを優先的に割り当てる。
【発明の効果】
【００５１】
本発明に係る実施例によれば、ネットワークデバイス及び端末はＤＲＢのマッピング様式を決定し、前記ＤＲＢのマッピング様式とは、ＤＲＢを、ライセンスされた帯域にマッピングするのを認めるのかおよび/またはライセンスされていない帯域にマッピングするのを認めるのかを指すことであり、ネットワークデバイス及び端末により決定されたＤＲＢのマッピング様式により、指定されたキャリアにおいて、ＤＲＢのサビースデータ送信する。こうして、ライセンスされたスペクトルリソース上および/またはライセンスされていないスペクトルリソースにおいて、伝送データを設定することを実施できるようになる。
【図面の簡単な説明】
【００５２】
【図１】本発明に係る実施例により提供されるＤＲＢマッピング方法のフローチャートである。
【図２】本発明に係る実施例により提供される他のＤＲＢマッピング方法のフローチャートである。
【図３】本発明に係る実施例により提供される基地局を示す図である。
【図４】本発明に係る実施例により提供される端末を示す図である。
【図５】本発明に係る実施例により提供される他の基地局を示す図である。
【図６】本発明に係る実施例により提供される他の端末を示す図である。
【発明を実施するための形態】
【００５３】
本発明に係る実施例の目的、技術構成及びメリットをさらに明確するため、以下、本発明に係る実施例の図を参照しながら、本発明に係る実施例の技術構成を、明瞭的、且つ、詳細に説明する。説明した実施例は、本発明の一部実施例にすぎず、全実施例ではないのは、自明である。本発明に係る実施例により、当該技術分野の通常の技術者であれば、創造力を発揮しないかぎり得た全てのたの実施例も、本発明の請求の範囲から逸脱されない。
【００５４】
本発明の技術構成は、は多様な通信システムに応用することができる。例えば、ＧＳＭ（登録商標）（Ｇｌｏｂａｌ Ｓｙｓｔｅｍ ｏｆ Ｍｏｂｉｌｅ ｃｏｍｍｕｎｉｃａｔｉｏｎ）システム、ＣＤＭＡ（Ｃｏｄｅ Ｄｉｖｉｓｉｏｎ Ｍｕｌｔｉｐｌｅ Ａｃｃｅｓｓ）システム、ＷＣＤＭＡ（登録商標）（Ｗｉｄｅｂａｎｄ Ｃｏｄｅ Ｄｉｖｉｓｉｏｎ Ｍｕｌｔｉｐｌｅ Ａｃｃｅｓｓ）システム、ＧＰＲＳ（Ｇｅｎｅｒａｌ Ｐａｃｋｅｔ Ｒａｄｉｏ Ｓｅｒｖｉｃｅ）、ＬＴＥ（Ｌｏｎｇ Ｔｅｒｍ Ｅｖｏｌｕｔｉｏｎ）システム、ＬＴＥ-Ａ（Ａｄｖａｎｃｅｄ ｌｏｎｇ ｔｅｒｍ ｅｖｏｌｕｔｉｏｎ）システム、ＵＭＴＳ（Ｕｎｉｖｅｒｓａｌ Ｍｏｂｉｌｅ Ｔｅｌｅｃｏｍｍｕｎｉｃａｔｉｏｎ Ｓｙｓｔｅｍ）等に応用できる。
【００５５】
または、本発明に係る実施例において、ユーザーデバイス（ＵＥ，Ｕｓｅｒ  Ｅｑｕｉｐｍｅｎｔ）は、Ｍｏｂｉｌｅ Ｓｔａｔｉｏｎ（ＭＳ）、移動端末（Ｍｏｂｉｌｅ Ｔｅｒｍｉｎａｌ）、移動電話（Ｍｏｂｉｌｅ Ｔｅｌｅｐｈｏｎｅ）、携帯（ｈａｎｄｓｅｔ）及び携帯機器（ｐｏｒｔａｂｌｅ ｅｑｕｉｐｍｅｎｔ）を含むが、それに限られない。当該ユーザー設備は、ＲＡＮ（Ｒａｄｉｏ Ａｃｃｅｓｓ Ｎｅｔｗｏｒｋ，ＲＡＮ）を介して１つまたは複数のコアネットワークと通信することができる。例えば、ユーザー設備は、ＭＴ（Ｃｅｌｌｕｌａｒ  ｐｈｏｎｅとも呼ばれる）、無線通信機能を有するコンピュータなどを含むこともできる。ユーザー設備は、携帯式、ポケット式、手持ち式、コンピュータに内蔵されるかまたは、車載の移動装置であることもできる。
【００５６】
本発明に係る実施例において、基地局（例えば、接続点）は、ＡＮ（Ａｃｃｅｓｓ  Ｎｅｔｗｏｒｋ）で無線インターフェースにおいて、１つまたは複数のセクターを介して無線端末と通信する設備であることができる。基地局は、受信した無線フレームとＩＰ組み分けを相互に転換して、無線端末とＡＮの他の部分間のルーターとすることができる。ここで、ＡＮの他の部分は、ＩＰネットワークを含むことができる。基地局は、無線インターフェースに対する属性管理を協調することができる。例えば、基地局は、ＧＳＭ（登録商標）またはＣＤＭＡの基地局（Ｂａｓｅ Ｔｒａｎｓｃｅｉｖｅｒ Ｓｔａｔｉｏｎ，ＢＴＳ）であってもよいし、ＷＣＤＭＡ（登録商標）の基地局（ＮｏｄｅＢ）であってもよく、ＬＴＥの進化型基地局（ＮｏｄｅＢまたはｅＮＢまたはｅ-ＮｏｄｅＢ，ｅｖｏｌｕｔｉｏｎａｌ Ｎｏｄｅ Ｂ）であってもよいが、本発明をそれに限定しない。
【００５７】
本発明に係る実施例にかかわるネットワークアーキテクチャは、ネットワークデバイス及び少なくとも１つの端末を備える。前記ネットワークデバイスは、基地局であることができ、前記端末は、無線通信機能を有する移動デバイス、例えば携帯であることができる。
【００５８】
図１は本発明に係る実施例により提供されるデータ無線ベアラ―（Ｄａｔａ Ｒａｄｉｏ Ｂｅａｒｅｒ，ＤＲＢ）マッピング方法のフローチャートである。当該フローチャートにより、ネットワーク側のプロセシングフローチャートが示され、下記のステップ１０１と、ステップ１０２とを備える。
【００５９】
ステップ１０１において、ネットワークデバイスは、ＤＲＢのマッピング様式を決定する。前記ＤＲＢのマッピング様式は、ＤＲＢを、ライセンスされた帯域にマッピングするのを認めるのかおよび/またはライセンスされていない帯域にマッピングするのを認めるのかを指す。
【００６０】
ここで、本発明に係る実施例中前記ＤＲＢのマッピング様式は、第１マッピング様式及び第２マッピング様式を含むが、これ限られない。第１マッピング様式とは、ＤＲＢをライセンスされた帯域にマッピングすることのみを認めることを指す。第２マッピング様式とは、ＤＲＢを、ライセンスされた帯域にマッピングすることも認めるし、ライセンスされていない帯域にマッピングすることも認めることを指す。
【００６１】
ステップ１０２において、前記ネットワークデバイスは、決定されたＤＲＢのマッピング様式により、指定されたキャリアにおいて前記ＤＲＢのサビースデータを伝送する。
【００６２】
ステップ１０１において、前記ネットワークデバイスは、ＤＲＢのサビースの品質（Ｑｕａｌｉｔｙ ｏｆ Ｓｅｒｖｉｃｅ，ＱｏＳ）特徴および/または無線回線制御（Ｒａｄｉｏ Ｌｉｎｋ Ｃｏｎｔｒｏｌ，ＲＬＣ）伝送モードにより、ＤＲＢのマッピング様式を決定することができる。または、前記ネットワークデバイスは、あらかじめ約定したＤＲＢのマッピング様式に従うこともできる。こうして、サビースサビース品質にこだわるサビースデータ（例えば、オンラインビデオ、ゲーム等）がライセンスされていない帯域において伝送されないようにし、ライセンスされていない帯域上の非連続的な動作によるサビース遅延の延長及び遅延振動（ｄｅｌａｙ ｓｈａｋｉｎｇ）が原因となったサビース品質の低下を防ぐことができ、ユーザーのサビース体験を効果的に改善することができる。
【００６３】
好ましくは、前記ネットワークデバイスは、ＱｏＳ特徴ＤＲＢのマッピング様式を決定する場合、あらかじめ設定したＱＣＩ（ＱｏＳ Ｃｌａｓｓ Ｉｄｅｎｔｉｆｉｅｒ）とＤＲＢマッピング様式の対応関係表に基づくこともできる。標準のプロトコルにおいて、２種のタイプサビース、即ち、ＧＢＲ（Ｇｕａｒａｎｔｅｅｄ Ｂｉｔ Ｒａｔｅ）及びＮＧＢＲ（Ｎｏｎ Ｇｕａｒａｎｔｅｅｄ Ｂｉｔ Ｒａｔｅ）が定義され、及び９種のＱｏＳクラスが定義され、表１に示すようである。端末により確立された各々伝送サビースのＤＲＢそれぞれは、１つのＱｏＳクラスと対応する。本発明に係る実施例において、当該９種のＱｏＳクラスに対して、対応するＤＲＢマッピング様式をあらかじめ設定することができる。例えば、５より大きくないＱｏＳクラスに対し、ライセンスされた帯域のみにマッピングできるように、対応のＤＲＢマッピング様式を設定する。こうして、ネットワークデバイスがＤＲＢマッピングを行う場合、ＤＲＢのＱｏＳクラスにより、当該対応関係表を照合して、たいおうのＤＲＢマッピング様式を取得できるようになる。
【００６４】
【表１】
2017536051.tif 000003
【００６５】
好ましくは、前記ネットワークデバイスは、ＲＬＣ伝送モードにより、ＤＲＢのマッピング様式を決定する場合、または、ＤＲＢマッピング様式を事前に約定する場合、下記の原則に従うことができる。ＤＲＢのＲＬＣモードがＵＭ（Ｕｎａｃｋｎｏｗｌｅｄｇｅｄ Ｍｏｄｅ）であれば、ＤＲＢをライセンスされた帯域にマッピングすることのみを決定する。ＤＲＢのＲＬＣモードがＡＭ（Ａｃｋｎｏｗｌｅｄｇｅｄ Ｍｏｄｅ）であれば、ＤＲＢをライセンスされた帯域にマッピングすることも認めるし、ライセンスされていない帯域にマッピングすることも認める。
【００６６】
ＡＭとは、送信されたＬＣデータ・パケットそれぞれが受信端により確認された後さえ、後続のデータ・パケットを送信することができ、あるデータ・パケットが確認されていないと、確認されたか、または最大再伝送回数に達するまで、送信端は、再伝送を引き続けるモードである。当該モードは、データ・パケット伝送の信頼性を確保できる。本実施例において、ＤＲＢのＲＬＣモードがＡＭであれば、前記ＤＲＢをライセンスされた帯域及びライセンスされていない帯域にマッピングすることを認め、データ・パケット紛失が起きやすいサビースデータ・パケットの伝送に用いることができる。
【００６７】
ＵＭとは、送信されたＲＬＣデータ・パケットについて、受信端からの確認を要しないモードを指す。当該伝送モードは、データ・パケット伝送の信頼性を確保できないが、データ伝送の遅延を確報でき、データ・パケット紛失が起きにくいが伝送遅延に敏感であるサビースの伝送に適用する。本実施例において、ＤＲＢのＲＬＣモードがＵＭであれば、前記ＤＲＢをライセンスされた帯域にマッピングすることのみを認め、データ・パケット紛失が起きにくいが伝送遅延に敏感であるサビースデータ・パケットの伝送に適用できる。
【００６８】
さらに、ステップ１０２の後、前記ネットワークデバイスは、前記ＤＲＢのマッピング様式を、前記ＤＲＢが確立されている端末に示してあげる。具体的に、前記ネットワークデバイスは、ＲＲＣ（Ｒａｄｉｏ Ｒｅｓｏｕｒｃｅ Ｃｏｎｔｒｏｌ，無線リソース制御）シグナリングにより、前記ＤＲＢのマッピング様式を、前記ＤＲＢが確立されている端末に示してあげる。
【００６９】
ネットワークデバイスは、多様な様式により、ＲＲＣシグナリングを介して、ＤＲＢのマッピング様式を示すことができる。好ましくは、前記ＲＲＣシグナリングには、第１ＤＲＢリスト及び第２ＤＲＢリストが含まれ、前記第１ＤＲＢリストにおけるＤＲＢを、ライセンスされた帯域にマッピングすることも認めるし、ライセンスされていない帯域にマッピングすることも認め、前記第２ＤＲＢリストにおけるＤＲＢを、ライセンスされていない帯域にマッピングすることは、認めない。
【００７０】
さらに、本発明に係る実施例において、前記ネットワークデバイスは、複数の異なるオケイジョンにおいて、ＤＲＢのマッピング様式を決定することができ、例えば、以下の1つまたは複数のオケイジョンにおいて、ＤＲＢのマッピング様式を決定することができる。
【００７１】
ＤＲＢが確立される場合、ＤＲＢのＱｏＳ特徴および/またはＲＬＣ伝送モードにより、確立されたＤＲＢのマッピング様式を決定する。
【００７２】
ＤＲＢが確立された後、信号干渉の状況および/または伝送サビースの受信品質により、確立されたＤＲＢのマッピング様式を改めて決定して設定する。
【００７３】
前記ネットワークデバイスは、切換ターゲットネットワークデバイスとして、ソースネットワークデバイスからの切換端末のＤＲＢマッピング様式情報を受信した後、前記切換端末のＤＲＢのマッピング様式を改めて決定して設定する。
【００７４】
本発明の上述の実施例において、ネットワークデバイスが、ＤＲＢのマッピング様式を決定し、マッピング様式を端末に示してあげ、決定されたＤＲＢのマッピング様式により、ネットワークデバイス及び端末指定されたキャリアにおいて、ＤＲＢのサビースデータ送信する。こうして、ライセンスされたスペクトルリソース上および/またはライセンスされていないスペクトルリソースにおいて、データを伝送できるようになる。
【００７５】
図２は、本発明に係る実施例により提供される他のＤＲＢマッピング方法のフローチャートである。当該フローチャートは、端末側のプロセシングフローチャートであり、以下のステップ２０１と、ステップ２０２とを備える。
【００７６】
ステップ２０１において、端末はＤＲＢのマッピング様式を決定する。前記ＤＲＢのマッピング様式は、ＤＲＢを、ライセンスされた帯域にマッピングするのを認めるのかおよび/またはライセンスされていない帯域にマッピングするのを認めるのかを指す。
【００７７】
ここで、本発明に係る実施例の前記ＤＲＢのマッピング様式は、第１マッピング様式及び第２マッピング様式を含むが、これらにかぎられない。第１マッピング様式は、ＤＲＢをライセンスされた帯域にマッピングすることのみを認めることを指す。第２マッピング様式は、ＤＲＢを、ライセンスされた帯域にマッピングすることも認めるし、ライセンスされていない帯域にマッピングすることも認めることを指す。
【００７８】
ステップ２０２において、前記端末は前記ＤＲＢマッピング様式により、指定されたキャリアにおいて前記ＤＲＢのサビースデータを伝送する。
【００７９】
ステップ２０１において、端末は下記の２つの様式により、ＤＲＢのマッピング様式を決定する。
【００８０】
〈様式１〉
端末は、ネットワークデバイスにより送信した指示情報により、ＤＲＢのマッピング様式を決定する。当該指示情報は、端末のＤＲＢのマッピング様式を示す。端末は、無線リソース制御（ＲＲＣ）シグナリングにより当該指示情報を受信する。ＲＲＣシグナリングには、第１ＤＲＢリスト及び第２ＤＲＢリストが含まれる。前記第１ＤＲＢリストにおけるＤＲＢを、ライセンスされた帯域にマッピングすることも認めるし、ライセンスされていない帯域にマッピングすることも認め、前記第２ＤＲＢリストにおけるＤＲＢを、ライセンスされていない帯域にマッピングすることは、認めない。
【００８１】
〈様式２〉
端末は、あらかじめ約定したＤＲＢのマッピング様式を従う。例えば、ＲＬＣモードがＵＭであるＤＲＢをライセンスされた帯域にマッピングすることのみを認め、ＲＬＣモードがＡＭであるＤＲＢを、ライセンスされた帯域にマッピングすることもできるし、ライセンスされていない帯域にマッピングすることもできるように、あらかじめ約定すれば、端末を当該約定に従って、ＤＲＢのマッピング様式を決定する。
【００８２】
本発明に係る実施例において、前記端末は、複数の異なるオケイジョンにおいて、ＤＲＢのマッピング様式を決定することができる。例えば、以下の1つまたは複数のオケイジョンにおいて、ＤＲＢのマッピング様式を決定することができる。
【００８３】
ＤＲＢが確立される場合、端末は、ネットワークデバイスが送信した第１指示情報を受信し、第１指示情報により、ＤＲＢのマッピング様式を決定する。当該第１指示情報は、端末のＤＲＢのマッピング様式を示す。
【００８４】
ＤＲＢが確立された後、端末は、ネットワークデバイスが送信した第２指示情報を受信し、第２指示情報によりＤＲＢのマッピング様式を決定する。当該第２指示情報は、ネットワークデバイスにより端末のために改めて設定したＤＲＢのマッピング様式を示す。
【００８５】
端末は、ターゲットネットワークデバイスに切換された後、ターゲットネットワークデバイスが送信した第３指示情報を受信し、ＤＲＢのマッピング様式を決定する。当該第３指示情報は、ターゲットネットワークデバイスにより端末のために改めて設定したＤＲＢのマッピング様式を、示す。
【００８６】
本発明の上述の実施例において、端末がＤＲＢのマッピング様式を決定し、前記ＤＲＢマッピング様式により、指定されたキャリアにおいて前記ＤＲＢのサビースデータを伝送する。こうして、ライセンスされたスペクトルリソースおよび/またはライセンスされていないスペクトルリソースにおけるデータ伝送が実施できるようになる。
【００８７】
さらに、端末はＤＲＢのマッピング様式を決定した後、ネットワークデバイスにＤＲＢの伝送待機データ量が含まれるＢＳＲを送信する。ぐたいてきには、下記３つの様式で報告さたＢＳＲを採用することができる。
【００８８】
〈様式１〉
端末は、異なるタイプのキャリア上で伝送するアップリンクＤＲＢに対応する論理チャネルを、異なる論理チャネルグループにマッピングする。
【００８９】
例えば、論理チャネル０~３は、ライセンスされた帯域において伝送るすることのみができる。論理チャネル４~９は、ライセンスされた帯域またはライセンスされていない帯域にマッピングされて伝送することができる。こうすれば、ＤＲＢを論理チャネルグループにマッピングする場合、２タイプの論理チャネルを異なる論理グループにマッピングすることができ、例えば、論理チャネル０及び１を論理チャネルグループ０にマッピングし、論理チャネル２及び３を、論理チャネルグループ１にマッピングし、論理チャネル４，６，７，８，９を論理チャネルグループ２にマッピングし、論理チャネル５を論理チャネルグループ３にマッピングする。
【００９０】
ネットワークデバイスが論理チャネルグループ０及び１に関するＢＳＲ報告を受信すると、これらのデータ量が単にライセンスされた帯域のみで伝送されることを把握でき、論理チャネルグループ２及び３に関するＢＳＲ報告を受信すると、これらのデータ量が2タイプのキャリアで伝送されることを把握できる。
【００９１】
〈様式２〉
端末が２タイプのＢＳＲを報告する。そのうちの1タイプは、各論理チャネルグループが単にライセンスされた帯域上で伝送できるデータ量のみを含む。他のタイプは、各論理チャネルグループがライセンスされていない帯域またはライセンスされた帯域上で伝送されるデータ量を含む。
【００９２】
例えば、論理チャネル０~３は、ライセンスされた帯域のみにおいて伝送されることができる。論理チャネル４~９は、ライセンスされた帯域及びライセンスされていない帯域にマッピングされて伝送されることができる。論理チャネルグループを分割する場合、論理チャネル０及び４，５を論理チャネルグループ０にマッピングし、論理チャネル１及び６,７を、論理チャネルグループ１にマッピングし、論理チャネル２及び８を論理チャネルグループ２にマッピングし、論理チャネル３及び９を論理チャネルグループ３にマッピングする。
【００９３】
ＢＳＲ報告の場合、端末は、２つのタイプのＢＳＲを報告する。第１タイプＢＳＲは、ライセンスされた帯域のみにおいて伝送できるデータ量を指、即ち、論理チャネルグループ０には、論理チャネル０のデータ量のみが含まれ、論理チャネルグループ１には、論理チャネル１のデータ量のみが含まれ、論理チャネルグループ２には、論理チャネル２のデータ量のみが含まれ、論理チャネルグループ３には、論理チャネル３のデータ量のみが含まれる。第２タイプＢＳＲは、ライセンスされていない帯域またはライセンスされた帯域上で伝送できるデータ量を指、即ち、論理チャネルグループ０には、論理チャネル４,５のデータ量のみが含まれ、論理チャネルグループ１には、論理チャネル６,７のデータ量のみが含まれ、論理チャネルグループ２には、論理チャネル８のデータ量が含まれ、論理チャネルグループ３には、論理チャネル９のデータ量のみが含まれる。
【００９４】
さらに、上述の２つのタイプのＢＳＲは、ＭＡＣ（Ｍｅｄｉａ Ａｃｃｅｓｓ Ｃｏｎｔｒｏｌ Ａｄｄｒｅｓｓ）サブヘッダにおけるＲビットにより識別することができるか、または、ＬＣＩＤ（ｌｏｇｉｃａｌ ｃｈａｎｎｅｌ ｉｄｅｎｔｉｆｙ）により識別することもできる。
【００９５】
よって、ネットワークデバイスは、ＢＳＲのタイプにより、２つのタイプのキャリアにおける伝送待機データ量を決定することができる。
【００９６】
〈様式３〉
端末は、２つのタイプのＢＳＲを報告し、そのうちの１つのタイプは、各論理チャネルグループの、ライセンスされた帯域のみにおいて伝送できるデータ量を含む。他の１つのタイプは、各論理チャネルグループの全ての伝送待機のデータ量を含む。
【００９７】
例えば、論理チャネル０~３は、ライセンスされた帯域のみにおいて伝送でき、論理チャネル４~９は、ライセンスされた帯域及びライセンスされていない帯域にマッピングされて伝送される。論理チャネルグループを分割する場合、論理チャネル０及び４，５を論理チャネルグループ０にマッピングし、論理チャネル１及び６，７を、論理チャネルグループ１にマッピングし、論理チャネル２及び８を、論理チャネルグループ２にマッピングし、論理チャネル３及び９を、論理チャネルグループ３にマッピングする。
【００９８】
ＢＳＲ報告の場合、端末は、２つのタイプのＢＳＲを報告する。第１タイプＢＳＲは、各論理チャネルグループの、ライセンスされた帯域において伝送するデータ量を示し、即ち、論理チャネルグループ０には、論理チャネル０のデータ量のみが含まれ、論理チャネルグループ１には、論理チャネル１のデータ量のみが含まれ、論理チャネルグループ２には、論理チャネル２のデータ量のみが含まれ、論理チャネルグループ３には、論理チャネル３のデータ量のみが含まれる。第２タイプＢＳＲは、各論理チャネルグループの、伝送待機のデータ量の総計を示し、砂割、論理チャネルグループ０には、論理チャネル０，４，５のデータ量が含まれる。論理チャネルグループ１には、論理チャネル１，６，７のデータ量のみが含まれ、論理チャネルグループ２には、論理チャネル２，８のデータ量のみが含まれ、論理チャネルグループ３には、論理チャネル３，９のデータ量のみが含まれる。
【００９９】
２つのタイプのＢＳＲは、MACサブヘッダにおけるＲビットにより識別されるか、または、ＬＣＩＤにより識別される。
【０１００】
よって、ネットワークデバイスは、ＢＳＲのタイプにより、２つのタイプのキャリアにおける伝送待機のデータ量を決定することができる。
【０１０１】
本発明に係る実施例において、端末はＤＲＢのマッピング様式を決定した後、ＤＲＢに対応する論理チャネルの優先度を決定する。端末は、以下の３つのステップにより、当該優先度により、ＤＲＢに対応する論理チャネルのためリソースを割り当てる。
【０１０２】
ステップ１において、端末は、従来の論理チャネル優先度待ち行列メカニズム（ｐｒｉｏｒｉｔｙ  ｑｕｅｕｉｎｇ  ｍｅｃｈａｎｉｓｍ）により、各論理チャネルのリソース割り当ての前後順番を決定し、第１個の論理チャネルから順次にリソースを割り当てる。
【０１０３】
ステップにおいて、現行論理チャネルデータは、ライセンスされていない帯域リソースを利用して伝送できれば、ライセンスされていない帯域リソースを優先的に割り当てる。ライセンスされていない帯域リソースが既に全部割り当てた場合、ライセンスされた帯域リソースリソースも全部割り当てられたかまたは、現行論理チャネル伝送待機のデータが全部伝送リソースに割り当てるまで、ライセンスされた帯域リソースを引き続き割り当てる。現行論理チャネルデータは、ライセンスされた帯域リソースのみで伝送できる場合、従来のキャリアリソースリソースが全部わりあてられたか、または、現行論理チャネル伝送待機のデータが全部伝送リソースにわりあてられたまで、ライセンスされた帯域リソースを割り当てる。
【０１０４】
ステップ３において、割り当てされてないリソースがまだあれば、かつ、リソース割り当てされてない論理チャネルがあれば、ステップに戻って、次の論理チャネルのためリソースを割り当てる。
【０１０５】
本発明をさらに明確に説明するため、以下、具体的な実施例を挙げて説明する。
【０１０６】
実施例１
本実施例において、ネットワークは、ＬＴＥ−Ｕキャリアを補助キャリアとして設定し、端末のために無線リソースを提供する。ネットワークデバイスは、ＤＲＢが確立される場合、確立されたＤＲＢのマッピング様式を決定する。
【０１０７】
ＤＲＢが確立される場合、ネットワークデバイスは、ＤＲＢのＱｏＳ特徴および/またはＲＬＣ伝送モードにより、確立されたＤＲＢのマッピング様式を決定する。例えば、例１つのＤＲＢのＱＣＩが５より大きくなければ、前記ＤＲＢをライセンスされていない帯域にマッピングすることができないと決定する。ネットワークデバイスは、専用ＲＲＣシグナリングにより、端末に指示情報を送信し、前記指示情報には、決定されたＤＲＢのマッピング様式が含まれる。
【０１０８】
端末は、ネットワークデバイスにより送信した指示情報を受信した後、ＤＢＲを確立する。端末は、指示情報により、ＱＣＩが１~５であるＤＢＲを、ライセンスされた帯域にマッピングする一方、ＱＣＩが６~９であるＤＢＲの場合は、制限されず、無線リソースのアイドリング状態により、ライセンスされた帯域の物理チャネルにマッピングしてもよく、イセンスされていない帯域の物理チャネルにマッピングしてもよい。
【０１０９】
実施例２
本実施例において、ネットワークデバイスは、ライセンスされていないスペクトルＬＴＥ−Ｕキャリアを補助キャリアとして配備し、端末に無線リソースを提供する。ネットワークデバイスは、ＤＲＢが確立された場合、信号干渉の状況および/または伝送サビースの受信品質により、確立されたＤＲＢのマッピング様式を改めて決定して設定する。
【０１１０】
ネットワークデバイスは、ＤＲＢが確立される場合、ＱＣＩが１~５であるＤＲＢをライセンスされた帯域にマッピングすることのみを認め、ＱＣＩが６~９であるデータベアラ―を、ライセンスされた帯域にマッピングしてもよく、ライセンスされていない帯域にマッピングしてもよいように、設定する。
【０１１１】
ＤＲＢが確立された後、ネットワークデバイスは、信号干渉の状況及び特定サビースの受信品質により、ある時刻において、ＤＲＢ確立場合に既に存在する構成を変更する子おＴができる。例えば、ネットワークデバイスは、ＱＣＩが６または７であるＤＲＢの構成を訂正して、ＱＣＩが６または７であるＤＲＢをライセンスされていない帯域にマッピングできないように、限定する。ネットワークデバイスは、確立されたＤＲＢのマッピング様式を改めて決定して設定した後、専用ＲＲＣシグナリングにより端末に指示情報を送信する。前記指示情報には、改めに決定して設定したＤＲＢのマッピング様式が含まれる。
【０１１２】
端末は、指示情報を受信した後、改めに設定したＤＲＢのマッピング様式を訂正する。例えば、ＱＣＩが６または７であるＤＲＢについて、端末は、単にそれをライセンスされた帯域にマッピングする。
【０１１３】
実施例３
ネットワークは、ライセンスされていないスペクトルＬＴＥ−Ｕキャリアを補助キャリアとして設定し、ユーザーのため無線リソースを提供する。ネットワークデバイスは、切換ターゲットネットワークデバイスとして、ソースネットワークデバイスからの切換端末のＤＲＢマッピング様式情報を受信し、前記切換端末のＤＲＢのマッピング様式を改めて決定して設定する。
【０１１４】
端末は、ソースネットワークデバイスがサビースを受信する場合、ソースネットワークデバイスは、端末のＤＲＢのためマッピング様式を設定した、ＱＣＩが７であるＤＲＢをライセンスされていない帯域上で伝送することができない。端末は、ソースネットワークデバイスからターゲットネットワークデバイスに切換する場合、元のＤＲＢマッピング様式は、ネットワークデバイス間のインターフェースより、ソースネットワークデバイスから、ターゲットネットワークデバイスに送信される。端末は、ターゲットネットワークデバイスを切換した後、ターゲットネットワークデバイスは、元のＤＲＢマッピング様式を変更して、ＱＣＩが７であるＤＲＢを、ライセンスされた帯域にマッピングしてもよく、ライセンスされていない帯域にマッピングしてもよいように、決定する。
【０１１５】
ターゲットネットワークデバイスは、ＤＲＢのマッピング様式を改めて設定した後、専用ＲＲＣシグナリングにより、端末に指示情報を送信する。前記指示情報には、改めに設定したＤＲＢの具体的なマッピング様式が含まれる。端末は、指示情報を受信した後、改めに設定したＤＲＢのマッピング様式を訂正する。
【０１１６】
実施例４
本実施例において、ネットワークデバイスは、ライセンスされていないスペクトルＬＴＥ−Ｕキャリアを補助キャリアとして設定し、ユーザーのため無線リソースを提供する。ネットワークデバイス及び端末は、あらかじめ約定したＤＲＢのマッピング様式を従う。
【０１１７】
具体的に、ネットワークデバイスは、あらかじめ約定したＤＲＢのマッピング様式に従う。例えば、ＲＬＣモードがＵＭであるＤＲＢをライセンスされた帯域にマッピングすることのみを認め、ＲＬＣモードがＡＭであるＤＲＢを、ライセンスされた帯域にマッピングすることもできるし、ライセンスされていない帯域にマッピングすることもできるように、あらかじめ約定すれば、ネットワークデバイス及び端末それぞれは、当該約定に従ってＤＲＢのマッピング様式を決定する。
【０１１８】
上述の方法フローチャートについて、本発明に係る実施例は、基地局及び端末をさらに提供する。当該基地局及び端末の具体内容は、上述の方法の実施を参照されたく、ここで、説明を繰り返さない。
【０１１９】
図３は本発明に係る実施例により提供される基地局を示す図である。
【０１２０】
プロセシングモジュール３０１は、ＤＲＢのマッピング様式を決定する。前記ＤＲＢのマッピング様式は、ＤＲＢを、ライセンスされた帯域にマッピングするのを認めるのかおよび/またはライセンスされていない帯域にマッピングするのを認めるのかを指す。
【０１２１】
送信モジュール３０２は、決定されたＤＲＢのマッピング様式により、指定されたキャリアにおいて前記ＤＲＢのサビースデータを伝送する。
【０１２２】
好ましくは、前記ＤＲＢのマッピング様式は、第１マッピング様式及び第２マッピング様式を含む。
【０１２３】
前記第１マッピング様式において、ＤＲＢをライセンスされた帯域にマッピングされることのみを認める。
【０１２４】
前記第２マッピング様式において、ＤＲＢをライセンスされた帯域にマッピングすることも認めるし、ライセンスされていない帯域にマッピングすることも認める。
【０１２５】
好ましくは、前記プロセシングモジュール３０１は、ＤＲＢのサビースの品質（ＱｏＳ）の特徴および/または無線回線制御（ＲＬＣ）伝送モードにより、ＤＲＢのマッピング様式を決定するか、または、あらかじめ約定したＤＲＢのマッピング様式に従う。
【０１２６】
好ましくは、前記プロセシングモジュール３０１は、ＤＲＢのＲＬＣモードが非肯定応答モード(ｕｎａｃｋｎｏｗｌｅｄｇｅｄ  ｍｏｄｅ，ＵＭ)である場合、ＤＲＢをライセンスされた帯域にマッピングすることのみを決定する。
【０１２７】
ＤＲＢのＲＬＣモードが肯定応答モード（ａｃｋｎｏｗｌｅｄｇｅｄ  ｍｏｄｅ，ＡＭ)である場合、ＤＲＢをライセンスされた帯域にマッピングすることも認めるし、ライセンスされていない帯域にマッピングすることも認める。
【０１２８】
好ましくは、前記プロセシングモジュール３０１は、ＤＲＢが確立される場合、ＤＲＢのサビースの品質（ＱｏＳ）の特徴および/または無線回線制御（ＲＬＣ）伝送モードにより、確立されたＤＲＢのマッピング様式を決定する。
【０１２９】
ＤＲＢが確立された後、信号干渉の状況および/または伝送サビースの受信品質により、確立されたＤＲＢのマッピング様式を改めて決定して設定する。
【０１３０】
前記ネットワークデバイスを切換ターゲットネットワークデバイスとする場合、前記切換端末のＤＲＢのマッピング様式を改めて決定して設定する。
【０１３１】
好ましくは、前記プロセシングモジュール３０１は、前記ＤＲＢのマッピング様式を、前記ＤＲＢが確立されている端末に示してあげる。
【０１３２】
好ましくは、前記プロセシングモジュール３０１は、無線リソース制御（ＲＲＣ）シグナリングにより、前記ＤＲＢのマッピング様式を、前記ＤＲＢが確立されている端末に示してあげる。
【０１３３】
前記ＲＲＣシグナリングには、第１ＤＲＢリスト及び第２ＤＲＢリストが含まれ、前記第１ＤＲＢリストにおけるＤＲＢを、ライセンスされた帯域にマッピングすることも認めるし、ライセンスされていない帯域にマッピングすることも認め、前記第２ＤＲＢリストにおけるＤＲＢを、ライセンスされていない帯域にマッピングすることは、認めない。
【０１３４】
好ましくは、前記ネットワークデバイスは、端末から報告したＢＳＲ(ＢＵＦＦＥＲ  ＳＴＡＴＵＳ  ＲＥＰＯＲＴ)を受信する受信モジュール３０３をさらに備える。
【０１３５】
前記ＢＳＲには、前記ＤＲＢの伝送待機データ量が含まれ、１つの論理チャネルグループの全ての論理チャネルに対応するＤＲＢは、同一または異なるマッピング様式を有する。
【０１３６】
１つの論理チャネルグループの論理チャネルに対応するＤＲＢが異なるマッピング様式を有すれば、前記端末から報告したＢＳＲには、前記ＢＳＲのタイプが示され、ＢＳＲのタイプは、第１タイプ及び第２タイプを含み、前記第１タイプのＢＳＲの場合、１つの論理チャネルグループに含まれる論理チャネルに対応するＤＲＢには、ライセンスされた帯域にマッピングすることのみを認められるＤＲＢが含まられ、前記第２タイプのＢＳＲの場合、１つの論理チャネルグループに含まれる論理チャネルに対応するＤＲＢには、ライセンスされた帯域にマッピングすることも認められるし、ライセンスされていないキャリアスペクトルにマッピングすることも認められるＤＲＢが含まれる。
【０１３７】
図４は、本発明に係る実施例により提供される端末を示す図である。
【０１３８】
プロセシングモジュール４０１は、ＤＲＢのマッピング様式を決定する。前記ＤＲＢのマッピング様式は、ＤＲＢを、ライセンスされた帯域にマッピングするのを認めるのかおよび/またはライセンスされていない帯域にマッピングするのを認めるのかを指す。
【０１３９】
送信モジュール４０２は、前記ＤＲＢマッピング様式により、指定されたキャリアにおいて前記ＤＲＢのサビースデータを伝送する。
【０１４０】
好ましくは、前記ＤＲＢのマッピング様式は、第１マッピング様式及び第２マッピング様式を含む。
【０１４１】
前記第１マッピング様式において、ＤＲＢをライセンスされた帯域にマッピングされることのみを認める。
【０１４２】
前記第２マッピング様式において、ＤＲＢをライセンスされた帯域にマッピングすることも認めるし、ライセンスされていない帯域にマッピングすることも認める。
【０１４３】
好ましくは、前記プロセシングモジュール４０１は、ネットワークデバイスにより送信した指示情報により、前記ＤＲＢのマッピング様式を決定し、前記指示情報は、前記端末のＤＲＢのマッピング様式を示す。または、あらかじめ約定したＤＲＢのマッピング様式に従う。
【０１４４】
好ましくは、前記端末は、無線リソース制御（ＲＲＣ）シグナリングにより前記指示情報を受信する受信モジュール４０３をさらに備える。
【０１４５】
前記ＲＲＣシグナリングには、第１ＤＲＢリスト及び第２ＤＲＢリストが含まれ、前記第１ＤＲＢリストにおけるＤＲＢを、ライセンスされた帯域にマッピングすることも認めるし、ライセンスされていない帯域にマッピングすることも認め、前記第２ＤＲＢリストにおけるＤＲＢを、ライセンスされていない帯域にマッピングすることは、認めない。
【０１４６】
好ましくは、前記プロセシングモジュール４０１は、ＤＲＢが確立される場合、前記ネットワークデバイスが送信した第１指示情報により、ＤＲＢのマッピング様式を決定し、前記第１指示情報は、前記端末のＤＲＢのマッピング様式を示する。
【０１４７】
ＤＲＢが確立された後、前記ネットワークデバイスが送信した第２指示情報により、ＤＲＢのマッピング様式を決定し、前記第２指示情報は、前記ネットワークデバイスが前記端末のため改めて設定したＤＲＢのマッピング様式を示す。
【０１４８】
前記端末がターゲットネットワークデバイスに切換された後、前記ターゲットネットワークデバイスが送信した第３指示情報により、ＤＲＢのマッピング様式を決定し、前記第３指示情報は、前記ターゲットネットワークデバイスが前記端末のため改めて設定したＤＲＢのマッピング様式を示す。
【０１４９】
好ましくは、前記送信モジュール４０２は、ネットワークデバイスにＢＳＲ(ＢＵＦＦＥＲ  ＳＴＡＴＵＳ  ＲＥＰＯＲＴ)に送信する。前記ＢＳＲには、前記ＤＲＢの伝送待機データ量が含まれ、１つの論理チャネルグループの全ての論理チャネルに対応するＤＲＢは、同一または異なるマッピング様式を有する。
【０１５０】
１つの論理チャネルグループの論理チャネルに対応するＤＲＢが異なるマッピング様式を有すれば、ネットワークデバイスにＢＳＲ(ＢＵＦＦＥＲ  ＳＴＡＴＵＳ  ＲＥＰＯＲＴ)に送信し、ＢＳＲのタイプは、第１タイプ及び第２タイプを含み、前記第１タイプのＢＳＲの場合、１つの論理チャネルグループに含まれる論理チャネルに対応するＤＲＢには、ライセンスされた帯域にマッピングすることのみを認められるＤＲＢが含まられ、前記第２タイプのＢＳＲの場合、１つの論理チャネルグループに含まれる論理チャネルに対応するＤＲＢには、ライセンスされた帯域にマッピングすることも認められるし、ライセンスされていないキャリアスペクトルにマッピングすることも認められるＤＲＢが含まれる。
【０１５１】
好ましくは、前記プロセシングモジュール４０１は、ＤＲＢに対応する論理チャネルの優先度を決定する。
【０１５２】
前記優先度により、ＤＲＢに対応する論理チャネルのためリソースを割り当てる。ＤＲＢに対応する論理チャネルの場合、ライセンスされた帯域にマッピングすることも認め、ライセンスされていない帯域にマッピングすることも認めれば、前記ＤＲＢのためにライセンスされていない帯域のリソースを優先的に割り当てる。
【０１５３】
図５は、本発明に係る実施例により提供される他の基地局を示す図であり、当該基地局において、プロセッサ５０１は、メモリ５０３内のプログラムを読み出して、ＤＲＢのマッピング様式を決定する。前記ＤＲＢのマッピング様式は、ＤＲＢを、ライセンスされた帯域にマッピングするのを認めるのかおよび/またはライセンスされていない帯域にマッピングするのを認めるのかを指す。決定されたＤＲＢのマッピング様式により、指定されたキャリアにおいて前記ＤＲＢのサビースデータを伝送する。
【０１５４】
送受信機５０２は、プロセッサ５０１の制御により、データを送受信する。
【０１５５】
好ましくは、前記ＤＲＢのマッピング様式は、第１マッピング様式及び第２マッピング様式を含む。
【０１５６】
前記第１マッピング様式において、ＤＲＢをライセンスされた帯域にマッピングされることのみを認める。
【０１５７】
前記第２マッピング様式において、ＤＲＢをライセンスされた帯域にマッピングすることも認めるし、ライセンスされていない帯域にマッピングすることも認める。
【０１５８】
好ましくは、前記プロセッサ５０１は、ＤＲＢのサビースの品質（ＱｏＳ）の特徴および/または無線回線制御（ＲＬＣ）伝送モードにより、ＤＲＢのマッピング様式を決定する。または、あらかじめ約定したＤＲＢのマッピング様式に従う。
【０１５９】
好ましくは、前記プロセッサ５０１は、ＤＲＢのＲＬＣモードが非肯定応答モード(ｕｎａｃｋｎｏｗｌｅｄｇｅｄ  ｍｏｄｅ，ＵＭ)である場合、ＤＲＢをライセンスされた帯域にマッピングすることのみを決定する。
【０１６０】
ＤＲＢのＲＬＣモードが肯定応答モード（ａｃｋｎｏｗｌｅｄｇｅｄ  ｍｏｄｅ，ＡＭ)である場合、ＤＲＢをライセンスされた帯域にマッピングすることも認めるし、ライセンスされていない帯域にマッピングすることも認める。
【０１６１】
好ましくは、前記プロセッサ５０１は、ＤＲＢが確立される場合、ＤＲＢのサビースの品質（ＱｏＳ）の特徴および/または無線回線制御（ＲＬＣ）伝送モードにより、確立されたＤＲＢのマッピング様式を決定する。
【０１６２】
ＤＲＢが確立された後、信号干渉の状況および/または伝送サビースの受信品質により、確立されたＤＲＢのマッピング様式を改めて決定して設定する。
【０１６３】
前記ネットワークデバイスを切換ターゲットネットワークデバイスとする場合、前記切換端末のＤＲＢのマッピング様式を改めて決定して設定する。
【０１６４】
好ましくは、前記プロセッサ５０１は、前記ＤＲＢのマッピング様式を、前記ＤＲＢが確立されている端末に示してあげる。
【０１６５】
好ましくは、前記プロセッサ５０１は、無線リソース制御（ＲＲＣ）シグナリングにより、前記ＤＲＢのマッピング様式を、前記ＤＲＢが確立されている端末に示してあげる。
【０１６６】
前記ＲＲＣシグナリングには、第１ＤＲＢリスト及び第２ＤＲＢリストが含まれ、前記第１ＤＲＢリストにおけるＤＲＢを、ライセンスされた帯域にマッピングすることも認めるし、ライセンスされていない帯域にマッピングすることも認め、前記第２ＤＲＢリストにおけるＤＲＢを、ライセンスされていない帯域にマッピングすることは、認めない。
【０１６７】
好ましくは、前記送受信機は、端末から報告したＢＳＲ(ＢＵＦＦＥＲ  ＳＴＡＴＵＳ  ＲＥＰＯＲＴ)を受信する。前記ＢＳＲには、前記ＤＲＢの伝送待機データ量が含まれ、１つの論理チャネルグループの全ての論理チャネルに対応するＤＲＢは、同一または異なるマッピング様式を有する。
【０１６８】
１つの論理チャネルグループの論理チャネルに対応するＤＲＢが異なるマッピング様式を有すれば、前記端末から報告したＢＳＲには、前記ＢＳＲのタイプが示され、ＢＳＲのタイプは、第１タイプ及び第２タイプを含み、前記第１タイプのＢＳＲの場合、１つの論理チャネルグループに含まれる論理チャネルに対応するＤＲＢには、ライセンスされた帯域にマッピングすることのみを認められるＤＲＢが含まられ、前記第２タイプのＢＳＲの場合、１つの論理チャネルグループに含まれる論理チャネルに対応するＤＲＢには、ライセンスされた帯域にマッピングすることも認められるし、ライセンスされていないキャリアスペクトルにマッピングすることも認められるＤＲＢが含まれる。
【０１６９】
図５において、バスアーキテクチャは、いずれ数の相互接続するバス及びブリッジを備える。具体的に、プロセッサ５０１が代表となる１つまたは複数のプロセッサ及びメモリ５０３が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機５０２は、複数の部品であることができ、即ち、送信機及び受信機を備え、伝送媒体を介して他の装置と通信するユニットを提供する。プロセッサ５０１は、バズアーキテクチャ及び通常の処理を監視し、メモリ５０３は、プロセッサ５０１が動作する際に利用するデータを記憶することができる。
【０１７０】
図６は、本発明に係る実施例により提供される他の端末を示す図である。当該端末において、プロセッサ６０１は、メモリ６０３内のプログラムを読み出して、ＤＲＢのマッピング様式を決定する。前記ＤＲＢのマッピング様式は、ＤＲＢを、ライセンスされた帯域にマッピングするのを認めるのかおよび/またはライセンスされていない帯域にマッピングするのを認めるのかを指す。前記ＤＲＢマッピング様式により、送受信機６０２を介して、指定されたキャリアにおいて前記ＤＲＢのサビースデータを伝送する。
【０１７１】
好ましくは、前記ＤＲＢのマッピング様式は、第１マッピング様式及び第２マッピング様式を含む。
【０１７２】
前記第１マッピング様式において、ＤＲＢをライセンスされた帯域にマッピングされることのみを認める。
【０１７３】
前記第２マッピング様式において、ＤＲＢをライセンスされた帯域にマッピングすることも認めるし、ライセンスされていない帯域にマッピングすることも認める。
【０１７４】
好ましくは、前記プロセッサ６０１は、ネットワークデバイスにより送信した指示情報により、前記ＤＲＢのマッピング様式を決定する。前記指示情報は、前記端末のＤＲＢのマッピング様式を示す。または、あらかじめ約定したＤＲＢのマッピング様式に従う。
【０１７５】
好ましくは、前記送受信機６０２は、無線リソース制御（ＲＲＣ）シグナリングにより前記指示情報を受信する。
【０１７６】
前記ＲＲＣシグナリングには、第１ＤＲＢリスト及び第２ＤＲＢリストが含まれ、前記第１ＤＲＢリストにおけるＤＲＢを、ライセンスされた帯域にマッピングすることも認めるし、ライセンスされていない帯域にマッピングすることも認め、前記第２ＤＲＢリストにおけるＤＲＢを、ライセンスされていない帯域にマッピングすることは、認めない。
【０１７７】
好ましくは、前記プロセッサ６０１は、ＤＲＢが確立される場合、前記ネットワークデバイスが送信した第１指示情報により、ＤＲＢのマッピング様式を決定し、前記第１指示情報は、前記端末のＤＲＢのマッピング様式を示す。
【０１７８】
ＤＲＢが確立された後、前記ネットワークデバイスが送信した第２指示情報により、ＤＲＢのマッピング様式を決定する。前記第２指示情報は、前記ネットワークデバイスが前記端末のため改めて設定したＤＲＢのマッピング様式を示す。
【０１７９】
前記端末がターゲットネットワークデバイスに切換された後、前記ターゲットネットワークデバイスが送信した第３指示情報により、ＤＲＢのマッピング様式を決定する。前記第３指示情報は、前記ターゲットネットワークデバイスが前記端末のため改めて設定したＤＲＢのマッピング様式を示す。
【０１８０】
好ましくは、前記送受信機６０２は、ネットワークデバイスにＢＳＲ(ＢＵＦＦＥＲ  ＳＴＡＴＵＳ  ＲＥＰＯＲＴ)に送信する。前記ＢＳＲには、前記ＤＲＢの伝送待機データ量が含まれ、１つの論理チャネルグループの全ての論理チャネルに対応するＤＲＢは、同一または異なるマッピング様式を有する。
【０１８１】
１つの論理チャネルグループの論理チャネルに対応するＤＲＢが異なるマッピング様式を有すれば、ネットワークデバイスにＢＳＲ(ＢＵＦＦＥＲ  ＳＴＡＴＵＳ  ＲＥＰＯＲＴ)に送信し、ＢＳＲのタイプは、第１タイプ及び第２タイプを含み、前記第１タイプのＢＳＲの場合、１つの論理チャネルグループに含まれる論理チャネルに対応するＤＲＢには、ライセンスされた帯域にマッピングすることのみを認められるＤＲＢが含まられ、前記第２タイプのＢＳＲの場合、１つの論理チャネルグループに含まれる論理チャネルに対応するＤＲＢには、ライセンスされた帯域にマッピングすることも認められるし、ライセンスされていないキャリアスペクトルにマッピングすることも認められるＤＲＢが含まれる。
【０１８２】
好ましくは、前記プロセッサ６０１は、ＤＲＢに対応する論理チャネルの優先度を決定する。
【０１８３】
前記優先度により、ＤＲＢに対応する論理チャネルのためリソースを割り当てる。ＤＲＢに対応する論理チャネルの場合、ライセンスされた帯域にマッピングすることも認め、ライセンスされていない帯域にマッピングすることも認めれば、前記ＤＲＢのためにライセンスされていない帯域のリソースを優先的に割り当てる。
【０１８４】
図６において、バスアーキテクチャは、いずれ数の相互接続するバス及びブリッジを備える。具体的に、プロセッサ６０１が代表となる１つまたは複数のプロセッサ及びメモリ６０３が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機６０２は、複数の部品であることができ、即ち、送信機及び受信機を備え、伝送媒体を介して他の装置と通信するユニットを提供する。異なるユーザー設備に対し、ユーザーインターフェース６０４は、外部接続または内部接続に必要な設備のインターフェースであることもできる。接続する設備は、キーパッド、ディスプレー、スピーカー、マイクロホン、ジョイスティック等を備えるが、これに限られない。
【０１８５】
プロセッサ６０１は、バズアーキテクチャ及び通常の処理を監視し、メモリ６０３は、プロセッサ６０１が動作する際に利用するデータを記憶することができる。
【０１８６】
以上の内容を纏めてみれば、本発明に係る実施例において、ネットワークデバイスは、ＤＲＢのマッピング様式を決定する。前記ＤＲＢのマッピング様式は、ＤＲＢを、ライセンスされた帯域にマッピングするのを認めるのかおよび/またはライセンスされていない帯域にマッピングするのを認めるのかを指す。ネットワークデバイス及び端末により決定されたＤＲＢのマッピング様式により、指定されたキャリアにおいてＤＲＢのサビースデータを送信する。本発明に係る実施例によれば、サビースサビース品質にこだわるサビースデータ(例えば、ＶＯＩＰサビース、または、オンラインビデオ、ゲーム等)がライセンスされていない帯域において伝送されないことにより、ライセンスされていない帯域上の非連続的な動作によるサビース遅延の延長及び遅延振動が原因となったサビース品質の低下を防ぐことができ、ユーザーのサビース体験を効果的に改善することができる。
【０１８７】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【０１８８】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【０１８９】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０１９０】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【０１９１】
上述した実施形態に記述された技術的な解決手段を改造し、或いはその中の一部の技術要素を置換することもできる。そのような、改造と置換は本発明の各実施形態の技術の範囲から逸脱するとは見なされない。
【０１９２】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【０１９３】
本出願は、２０１４年１１月２５日に中国特許局に提出し、出願番号が２０１４１０６９０３４７．３であり、発明名称が「ＤＲＢマッピング方法および装置」との中国特許出願を基礎とする優先権を主張し、その開示の総てをここに取り込む。
【符号の説明】
【０１９４】
３０１  プロセシングモジュール
３０２  送信モジュール
３０３  受信モジュール
４０１プロセシングモジュール
４０２  送信モジュール
４０３  受信モジュール
５０１  プロセッサ
５０２  送受信機
５０３  メモリ
６０１  プロセッサ
６０２  送受信機
６０３  メモリ
【図１】
2017536051.tif 000004
【図２】
2017536051.tif 000005
【図３】
2017536051.tif 000006
【図４】
2017536051.tif 000007
【図５】
2017536051.tif 000008
【図６】
2017536051.tif 000009
【手続補正書】
【提出日】平成29年5月25日(2017.5.25)
【手続補正１】
【補正対象書類名】特許請求の範囲
【補正対象項目名】全文
【補正方法】変更
【補正の内容】
【特許請求の範囲】
【請求項１】
ネットワークデバイスは、ＤＲＢのマッピング様式を決定するステップであって、前記ＤＲＢのマッピング様式は、ＤＲＢを、ライセンスされた帯域にマッピングするのを認めるのかおよび/またはライセンスされていない帯域にマッピングするのを認めるのかを指す前記決定ステップと、
前記ネットワークデバイスは、決定されたＤＲＢのマッピング様式により、指定されたキャリアにおいて前記ＤＲＢのサビースデータを伝送するステップと
を備えることを特徴とするＤＲＢ（ｄａｔａ  ｒａｄｉｏ  ｂｅａｒｅｒ）のマッピング方法。
【請求項２】
前記ＤＲＢのマッピング様式は、第１マッピング様式及び第２マッピング様式を含み、
前記第１マッピング様式において、ＤＲＢをライセンスされた帯域にマッピングされることのみを認め、
前記第２マッピング様式において、ＤＲＢをライセンスされた帯域にマッピングすることも認めるし、ライセンスされていない帯域にマッピングすることも認める
ことを特徴とする請求項１のＤＲＢ（ｄａｔａ  ｒａｄｉｏ  ｂｅａｒｅｒ）のマッピング方法。
【請求項３】
前記ネットワークデバイスがＤＲＢのマッピング様式を決定することは、
前記ネットワークークデバイスは、ＤＲＢのサビースの品質（ＱｏＳ）の特徴および/または無線回線制御（ＲＬＣ）伝送モードにより、ＤＲＢのマッピング様式を決定するＤＲＢのマッピング様式を決定し、
または、
前記ネットワークデバイスは、あらかじめ約定したＤＲＢのマッピング様式に従う
ことを特徴とする請求項１のＤＲＢ（ｄａｔａ  ｒａｄｉｏ  ｂｅａｒｅｒ）のマッピング方法。
【請求項４】
前記ネットワークデバイスがＲＬＣ伝送モードによりＤＲＢのマッピング様式を決定することは、
ＤＲＢのＲＬＣモードが非肯定応答モード(ｕｎａｃｋｎｏｗｌｅｄｇｅｄ  ｍｏｄｅ，ＵＭ)である場合、ＤＲＢをライセンスされた帯域にマッピングすることのみを決定し、
ＤＲＢのＲＬＣモードが肯定応答モード（ａｃｋｎｏｗｌｅｄｇｅｄ  ｍｏｄｅ，ＡＭ)である場合、ＤＲＢをライセンスされた帯域にマッピングすることも認めるし、ライセンスされていない帯域にマッピングすることも認める
ことを特徴とする請求項３のＤＲＢ（ｄａｔａ  ｒａｄｉｏ  ｂｅａｒｅｒ）のマッピング方法。
【請求項５】
前記ネットワークデバイスが前記ＤＲＢのマッピング様式を決定することは、
前記ネットワークデバイスは、ＤＲＢが確立された場合、ＤＲＢのサビースの品質（ＱｏＳ）の特徴および/または無線回線制御（ＲＬＣ）伝送モードにより、確立されたＤＲＢのマッピング様式を決定し、
前記ネットワークデバイスは、ＤＲＢが確立された場合、信号干渉の状況および/または伝送サビースの受信品質により、確立されたＤＲＢのマッピング様式を改めて決定して設定し、
前記ネットワークデバイスは、切換ターゲットネットワークデバイスとして、ソースネットワークデバイスからの切換端末のＤＲＢマッピング様式情報を受信し、前記ターゲットネットワークデバイスは、前記切換端末のＤＲＢのマッピング様式を改めて決定して設定することとのうちの１つまたはこれらの任意の組み合わせを含む
ことを特徴とする請求項１のＤＲＢ（ｄａｔａ  ｒａｄｉｏ  ｂｅａｒｅｒ）のマッピング方法。
【請求項６】
前記ネットワークデバイスは、ＤＲＢのマッピング様式を決定した後、
前記ネットワークデバイスは、前記ＤＲＢが確立されている端末に対して、前記ＤＲＢのマッピング様式を示してあげる
ことを特徴とする請求項１ないし請求項５のいずれかのＤＲＢ（ｄａｔａ  ｒａｄｉｏ  ｂｅａｒｅｒ）のマッピング方法。
【請求項７】
前記ネットワークデバイスは、無線リソース制御（ＲＲＣ）シグナリングにより、前記ＤＲＢが確立されている端末に対して、前記ＤＲＢのマッピング様式を示してあげ、
前記ＲＲＣシグナリングには、第１ＤＲＢリスト及び第２ＤＲＢリストが含まれ、前記第１ＤＲＢリストにおけるＤＲＢを、ライセンスされた帯域にマッピングすることも認めるし、ライセンスされていない帯域にマッピングすることも認め、前記第２ＤＲＢリストにおけるＤＲＢを、ライセンスされていない帯域にマッピングすることは、認めない
ことを特徴とする請求項６のＤＲＢ（ｄａｔａ  ｒａｄｉｏ  ｂｅａｒｅｒ）のマッピング方法。
【請求項８】
前記ネットワークデバイスは、ＤＲＢのマッピング様式を決定した後、
前記ネットワークデバイスは、端末から報告したＢＳＲ(ＢＵＦＦＥＲ  ＳＴＡＴＵＳ  ＲＥＰＯＲＴ)を受信し、前記ＢＳＲには、前記ＤＲＢの伝送待機データ量が含まれ、１つの論理チャネルグループの全ての論理チャネルに対応するＤＲＢは、同一または異なるマッピング様式を有し、
１つの論理チャネルグループの論理チャネルに対応するＤＲＢが異なるマッピング様式を有すれば、前記端末から報告したＢＳＲには、前記ＢＳＲのタイプが示され、ＢＳＲのタイプは、第１タイプ及び第２タイプを含み、前記第１タイプのＢＳＲの場合、１つの論理チャネルグループに含まれる論理チャネルに対応するＤＲＢには、ライセンスされた帯域にマッピングすることのみを認められるＤＲＢが含まられ、前記第２タイプのＢＳＲの場合、１つの論理チャネルグループに含まれる論理チャネルに対応するＤＲＢには、ライセンスされた帯域にマッピングすることも認められるし、ライセンスされていないキャリアスペクトルにマッピングすることも認められるＤＲＢが含まれる
ことを特徴とする請求項１のＤＲＢ（ｄａｔａ  ｒａｄｉｏ  ｂｅａｒｅｒ）のマッピング方法。
【請求項９】
端末はＤＲＢのマッピング様式を決定するステップであって、前記ＤＲＢのマッピング様式は、ＤＲＢを、ライセンスされた帯域にマッピングするのを認めるのかおよび/またはライセンスされていない帯域にマッピングするのを認めるのかを指す前記蹴ってステップと、
前記端末は前記ＤＲＢマッピング様式により、指定されたキャリアにおいて前記ＤＲＢのサビースデータを伝送するステップと
を備えることを特徴とするＤＲＢ（ｄａｔａ  ｒａｄｉｏ  ｂｅａｒｅｒ）のマッピング方法。
【請求項１０】
前記ＤＲＢのマッピング様式は、第１マッピング様式及び第２マッピング様式を含み、
前記第１マッピング様式において、ＤＲＢをライセンスされた帯域にマッピングされることのみを認め、
前記第２マッピング様式において、ＤＲＢをライセンスされた帯域にマッピングすることも認めるし、ライセンスされていない帯域にマッピングすることも認める
ことを特徴とする請求項９のＤＲＢ（ｄａｔａ  ｒａｄｉｏ  ｂｅａｒｅｒ）のマッピング方法。
【請求項１１】
前記端末がＤＲＢのマッピング様式を決定することは、
前記端末は、ネットワークデバイスにより送信した指示情報により、前記ＤＲＢのマッピング様式を決定し、前記指示情報は、前記端末のＤＲＢのマッピング様式を示し、
または、
前記端末は、あらかじめ約定したＤＲＢのマッピング様式を従う
ことを特徴とする請求項９のＤＲＢ（ｄａｔａ  ｒａｄｉｏ  ｂｅａｒｅｒ）のマッピング方法。
【請求項１２】
前記指示情報は、無線リソース制御（ＲＲＣ）シグナリングにより受信され、
前記ＲＲＣシグナリングには、第１ＤＲＢリスト及び第２ＤＲＢリストが含まれ、前記第１ＤＲＢリストにおけるＤＲＢを、ライセンスされた帯域にマッピングすることも認めるし、ライセンスされていない帯域にマッピングすることも認め、前記第２ＤＲＢリストにおけるＤＲＢを、ライセンスされていない帯域にマッピングすることは、認めない
ことを特徴とする請求項１１のＤＲＢ（ｄａｔａ  ｒａｄｉｏ  ｂｅａｒｅｒ）のマッピング方法。
【請求項１３】
前記端末が、ネットワークデバイスにより送信した指示情報により、前記ＤＲＢのマッピング様式を決定することは、
ＤＲＢが確立される場合、前記端末は、前記ネットワークデバイスが送信した第１指示情報を受信し、前記第１指示情報によりＤＲＢのマッピング様式を決定し、前記第１指示情報は、前記端末のＤＲＢのマッピング様式を示し、
ＤＲＢが確立された後、前記端末は、前記ネットワークデバイスが送信した第２指示情報を受信し、前記第２指示情報によりＤＲＢのマッピング様式を決定し、前記第２指示情報は、前記ネットワークデバイスが前記端末のため改めて設定したＤＲＢのマッピング様式を示し、
前記端末がターゲットネットワークデバイスに切換された後、前記端末は、前記ターゲットネットワークデバイスが送信した第３指示情報を受信して、ＤＲＢのマッピング様式を決定し、前記第３指示情報は、前記ターゲットネットワークデバイスが前記端末のため改めて設定したＤＲＢのマッピング様式を示すこととのうちの１つまたはこれらの任意の組み合わせを含む
ことを特徴とする請求項１１のＤＲＢ（ｄａｔａ  ｒａｄｉｏ  ｂｅａｒｅｒ）のマッピング方法。
【請求項１４】
前記端末はＤＲＢのマッピング様式を決定した後、
前記端末は、ネットワークデバイスにＢＳＲ(ＢＵＦＦＥＲ  ＳＴＡＴＵＳ  ＲＥＰＯＲＴ)を送信し、前記ＢＳＲには、前記ＤＲＢの伝送待機データ量が含まれ、１つの論理チャネルグループの全ての論理チャネルに対応するＤＲＢは、同一または異なるマッピング様式を有し、
１つの論理チャネルグループの論理チャネルに対応するＤＲＢが異なるマッピング様式を有すれば、前記端末から報告したＢＳＲには、前記ＢＳＲのタイプが示され、ＢＳＲのタイプは、第１タイプ及び第２タイプを含み、前記第１タイプのＢＳＲの場合、１つの論理チャネルグループに含まれる論理チャネルに対応するＤＲＢには、ライセンスされた帯域にマッピングすることのみを認められるＤＲＢが含まられ、前記第２タイプのＢＳＲの場合、１つの論理チャネルグループに含まれる論理チャネルに対応するＤＲＢには、ライセンスされた帯域にマッピングすることも認められるし、ライセンスされていないキャリアスペクトルにマッピングすることも認められるＤＲＢが含まれる
ことを特徴とする請求項９のＤＲＢ（ｄａｔａ  ｒａｄｉｏ  ｂｅａｒｅｒ）のマッピング方法。
【請求項１５】
前記端末はＤＲＢのマッピング様式を決定した後、
前記端末は、ＤＲＢに対応する論理チャネルの優先度を決定し、
前記端末は、前記優先度により、ＤＲＢに対応する論理チャネルのためにリソースを割り当て、ＤＲＢに対応する論理チャネルの場合、ライセンスされた帯域にマッピングすることも認め、ライセンスされていない帯域にマッピングすることも認めれば、前記ＤＲＢのためにライセンスされていない帯域のリソースを優先的に割り当てる
ことを特徴とする請求項９のＤＲＢ（ｄａｔａ  ｒａｄｉｏ  ｂｅａｒｅｒ）のマッピング方法。
【国際調査報告】
2017536051.tif 000010
2017536051.tif 000011
2017536051.tif 000012
2017536051.tif 000013